(57)【要約】【課題】遊技に対する興趣の向上を図ることができる遊技機を提供する。【解決手段】大当り遊技に関する有利度合いを定めた複数の設定情報のうち何れかの設定情報が設定される。特別条件が成立すると実行される特別演出には、設定された設定情報を示唆する示唆演出、及び、設定された設定情報を報知する報知演出のうち少なくとも一方がある。特別条件は、所定ラウンド遊技において、大入賞口に入球したと検知された遊技球の数が特定数となったときに成立可能な条件である。【選択図】図１０
2020028486.tif 000002
【特許請求の範囲】
【請求項１】
大当り抽選に当選したことを条件として、大入賞口を開状態にする大当り遊技を付与する遊技機において、
前記大入賞口に遊技球が入球可能な開状態及び前記大入賞口に遊技球が入球不能な閉状態を取り得るように動作する特別開閉手段と、
前記大入賞口に入球した遊技球を検知する特別検知手段と、
前記大当り遊技に関する有利度合いを定めた複数の設定情報のうち何れかの設定情報を設定する設定制御手段と、
演出の実行を制御する演出制御手段と、を備え、
前記大当り遊技は、ラウンド遊技が複数回行われる遊技であり、
前記特別開閉手段は、前記ラウンド遊技において前記開状態を取り得るとともに、前記ラウンド遊技が終了すると前記閉状態を取り、
前記演出には、特別条件が成立すると実行される特別演出があり、
前記特別演出には、前記設定制御手段によって設定された設定情報を示唆する示唆演出、及び、前記設定制御手段によって設定された設定情報を報知する報知演出のうち少なくとも一方があり、
前記特別条件は、所定ラウンド遊技において、前記特別検知手段によって前記大入賞口に入球したと検知された遊技球の数が特定数となったときに成立可能な条件である遊技機。
【請求項２】
前記大入賞口に入球した遊技球が通過可能な特殊通過領域と、
特典を付与する特典付与制御手段と、を備え、
前記特典付与制御手段は、前記特殊通過領域への遊技球の通過に応じて前記特典を付与し、
前記所定ラウンド遊技は、前記大入賞口に入球した遊技球が前記特殊通過領域を通過可能なラウンド遊技である請求項１に記載の遊技機。
【請求項３】
前記大入賞口に入球した遊技球が通過可能な通常通過領域と、
前記大入賞口に入球した遊技球を前記特殊通過領域に振り分ける第１振分状態及び前記大入賞口に入球した遊技球を前記通常通過領域に振り分ける第２振分状態を取り得るように動作する振分手段と、
前記振分手段の動作を制御する振分制御手段と、を備え、
前記振分制御手段は、前記所定ラウンド遊技において、前記特別検知手段によって前記大入賞口に入球したと検知された遊技球の数が規定数となったことを契機として、前記第１振分状態を取るように前記振分手段を動作させることができ、
前記特定数には、前記規定数と同じ数がある請求項２に記載の遊技機。
【請求項４】
前記大入賞口に入球した遊技球が通過可能な通常通過領域と、
前記大入賞口に入球した遊技球を前記特殊通過領域に振り分ける第１振分状態及び前記大入賞口に入球した遊技球を前記通常通過領域に振り分ける第２振分状態を取り得るように動作する振分手段と、
前記振分手段の動作を制御する振分制御手段と、を備え、
前記振分手段を動作させる振分態様には、第１振分態様と、第２振分態様とがあり、
前記第２振分態様は、前記第１振分態様よりも、前記大入賞口に入球した遊技球が前記特殊通過領域を通過し易い振分態様であり、
前記振分制御手段は、前記所定ラウンド遊技において、前記特別検知手段によって前記大入賞口に入球したと検知された遊技球の数が規定数となったことを契機として、前記第２振分態様で前記第１振分状態を取るように前記振分手段を動作させることができ、
前記特定数には、前記規定数と同じ数がある請求項２に記載の遊技機。
【請求項５】
遊技者により操作可能な操作手段を備え、
前記特別条件は、前記操作手段の操作に応じて成立可能な条件である請求項１〜請求項４のうち何れか一項に記載の遊技機。
【請求項６】
遊技状態を制御する遊技状態制御手段を備え、
前記遊技状態には、低確率状態と、前記低確率状態よりも前記大当り抽選の当選確率が高い高確率状態とがあり、
前記複数種類の設定情報には、前記低確率状態における前記大当り遊技に関する有利度合いと、前記高確率状態における前記大当り遊技に関する有利度合いとが定められている請求項１〜請求項５のうち何れか一項に記載の遊技機。
【発明の詳細な説明】
【技術分野】
【０００１】
本発明は、遊技機に関するものである。
【背景技術】
【０００２】
従来、パチンコ遊技機は、始動口への入球を契機として大当り抽選を行い、当該大当り抽選に当選すると、大入賞口を開放する大当り遊技を付与するように構成されている（例えば、特許文献１）。遊技者は、大当り遊技において多数の賞球を獲得し得ることから、その興趣が向上される。
【先行技術文献】
【特許文献】
【０００３】
【特許文献１】特開２００５−２６１７１１号公報
【発明の概要】
【発明が解決しようとする課題】
【０００４】
しかしながら、従来のパチンコ遊技機では、大当り確率など、大当り遊技に関する有利度合いが機種ごとに固定されているから、長時間の遊技の結果、飽きによって遊技者の興趣を低下させてしまう虞があり、遊技に対する興趣の向上が望まれている。
【０００５】
本発明は、このような従来の技術に鑑みてなされたものであり、その目的は、遊技に対する興趣の向上を図ることができる遊技機を提供することにある。
【課題を解決するための手段】
【０００６】
上記問題点を解決する遊技機は、大当り抽選に当選したことを条件として、大入賞口を開状態にする大当り遊技を付与する遊技機において、前記大入賞口に遊技球が入球可能な開状態及び前記大入賞口に遊技球が入球不能な閉状態を取り得るように動作する特別開閉手段と、前記大入賞口に入球した遊技球を検知する特別検知手段と、前記大当り遊技に関する有利度合いを定めた複数の設定情報のうち何れかの設定情報を設定する設定制御手段と、演出の実行を制御する演出制御手段と、を備え、前記大当り遊技は、ラウンド遊技が複数回行われる遊技であり、前記特別開閉手段は、前記ラウンド遊技において前記開状態を取り得るとともに、前記ラウンド遊技が終了すると前記閉状態を取り、前記演出には、特別条件が成立すると実行される特別演出があり、前記特別演出には、前記設定制御手段によって設定された設定情報を示唆する示唆演出、及び、前記設定制御手段によって設定された設定情報を報知する報知演出のうち少なくとも一方があり、前記特別条件は、所定ラウンド遊技において、前記特別検知手段によって前記大入賞口に入球したと検知された遊技球の数が特定数となったときに成立可能な条件であることを要旨とする。
【０００７】
上記遊技機について、前記大入賞口に入球した遊技球が通過可能な特殊通過領域と、特典を付与する特典付与制御手段と、を備え、前記特典付与制御手段は、前記特殊通過領域への遊技球の通過に応じて前記特典を付与し、前記所定ラウンド遊技は、前記大入賞口に入球した遊技球が前記特殊通過領域を通過可能なラウンド遊技である構成としてもよい。
【０００８】
上記遊技機について、前記大入賞口に入球した遊技球が通過可能な通常通過領域と、前記大入賞口に入球した遊技球を前記特殊通過領域に振り分ける第１振分状態及び前記大入賞口に入球した遊技球を前記通常通過領域に振り分ける第２振分状態を取り得るように動作する振分手段と、前記振分手段の動作を制御する振分制御手段と、を備え、前記振分制御手段は、前記所定ラウンド遊技において、前記特別検知手段によって前記大入賞口に入球したと検知された遊技球の数が規定数となったことを契機として、前記第１振分状態を取るように前記振分手段を動作させることができ、前記特定数には、前記規定数と同じ数がある構成としてもよい。
【０００９】
上記遊技機について、前記大入賞口に入球した遊技球が通過可能な通常通過領域と、前記大入賞口に入球した遊技球を前記特殊通過領域に振り分ける第１振分状態及び前記大入賞口に入球した遊技球を前記通常通過領域に振り分ける第２振分状態を取り得るように動作する振分手段と、前記振分手段の動作を制御する振分制御手段と、を備え、前記振分手段を動作させる振分態様には、第１振分態様と、第２振分態様とがあり、前記第２振分態様は、前記第１振分態様よりも、前記大入賞口に入球した遊技球が前記特殊通過領域を通過し易い振分態様であり、前記振分制御手段は、前記所定ラウンド遊技において、前記特別検知手段によって前記大入賞口に入球したと検知された遊技球の数が規定数となったことを契機として、前記第２振分態様で前記第１振分状態を取るように前記振分手段を動作させることができ、前記特定数には、前記規定数と同じ数がある構成としてもよい。
【００１０】
上記遊技機について、遊技者により操作可能な操作手段を備え、前記特別条件は、前記操作手段の操作に応じて成立可能な条件である構成としてもよい。
上記遊技機について、遊技状態を制御する遊技状態制御手段を備え、前記遊技状態には、低確率状態と、前記低確率状態よりも前記大当り抽選の当選確率が高い高確率状態とがあり、前記複数種類の設定情報には、前記低確率状態における前記大当り遊技に関する有利度合いと、前記高確率状態における前記大当り遊技に関する有利度合いとが定められている構成としてもよい。
【発明の効果】
【００１１】
本発明によれば、遊技に対する興趣の向上を図ることができる。
【図面の簡単な説明】
【００１２】
【図１】パチンコ遊技機を模式的に示す図。
【図２】設定値（設定情報）を示す図。
【図３】電源投入時の制御内容の概略を示す図。
【図４】大当りの種類を示す図。
【図５】振分部材の制御内容を示す図。
【図６】遊技状態の制御内容を示す図。
【図７】パチンコ遊技機の電気的構成を示す図。
【図８】（ａ）〜（ｈ）は、各演出の演出態様を示す図。
【図９】大当り演出の演出内容を示す図。
【図１０】特殊通過関連演出制御処理を示す図。
【発明を実施するための形態】
【００１３】
［第１実施形態］
以下、パチンコ遊技機の一実施形態について説明する。
本明細書における上、下、左、右、前（表）、及び後（裏）は、遊技者から見たときの各方向を示すものとする。
【００１４】
図１に示すように、遊技機としてのパチンコ遊技機１０は、枠体１１を備えている。枠体１１は、遊技盤２０などの各種の部品を搭載するための部材である。
パチンコ遊技機１０は、発射ハンドル１６を備えている。例えば、発射ハンドル１６は、枠体１１の前面側に設けられている。パチンコ遊技機１０では、発射ハンドル１６の操作量（回動量）に応じた強度にて、遊技球（遊技媒体）が遊技盤２０の遊技領域２１に向けて発射される。すなわち、パチンコ遊技機１０は、発射ハンドル１６を操作することにより、遊技球の発射強度を調整可能に構成されている。
【００１５】
パチンコ遊技機１０は、装飾ランプ１７を備えている。例えば、装飾ランプ１７は、枠体１１の前面側に設けられている。装飾ランプ１７は、図示しない発光体を内蔵しており、該発光体によって発光、点滅、及び消灯が可能に構成されている。装飾ランプ１７は、演出の１つとして、発光、点滅、及び消灯する演出（以下、発光演出と示す）を実行する。
【００１６】
パチンコ遊技機１０は、スピーカ１８を備えている。例えば、スピーカ１８は、枠体１１の前面側に設けられている。スピーカ１８は、演出の１つとして、人や動物の声、効果音、及び楽曲などの音声を出力する演出（以下、音声演出と示す）を実行する。
【００１７】
パチンコ遊技機１０は、枠体１１の前面側であって、遊技者により操作可能な位置に、操作手段としての操作ボタン１９を備えている。操作ボタン１９は、例えば、演出の際に用いる。なお、操作ボタン１９は、例えば、音量設定や光量設定などの各種設定の際に用いてもよい。
【００１８】
パチンコ遊技機１０は、情報表示装置２２を備えている。例えば、情報表示装置２２は、遊技盤２０において、遊技者から視認可能な位置に設けられている。情報表示装置２２では、パチンコ遊技機１０の制御状態を示す各種の情報が報知される。
【００１９】
情報表示装置２２は、第１特別図柄表示部２２ａを備えている。第１特別図柄表示部２２ａは、１種類又は複数種類の第１特別図柄を表示可能に構成されている。第１特別図柄表示部２２ａは、所定の図柄を変動表示させ、最終的に第１特別図柄を確定停止表示させる第１特別図柄変動ゲーム（第１変動ゲーム）を実行可能である。以下の説明では、「第１特別図柄変動ゲーム」を略して「第１特別ゲーム」と示す場合がある。
【００２０】
情報表示装置２２は、第２特別図柄表示部２２ｂを備えている。第２特別図柄表示部２２ｂは、１種類又は複数種類の第２特別図柄を表示可能に構成されている。第２特別図柄表示部２２ｂは、所定の図柄を変動表示させ、最終的に第２特別図柄を確定停止表示させる第２特別図柄変動ゲーム（第２変動ゲーム）を実行可能である。以下の説明では、「第２特別図柄変動ゲーム」を略して「第２特別ゲーム」と示す場合がある。
【００２１】
また、以下の説明では、第１特別図柄変動ゲームと第２特別図柄変動ゲームとを区別しない場合、これらを纏めて「特別図柄変動ゲーム（変動ゲーム）」と示し、特別図柄変動ゲームを「特別ゲーム」と示す場合がある。第１特別図柄及び第２特別図柄は、パチンコ遊技機１０において内部的に実行される抽選（後述する大当り抽選）の結果を報知するための図柄である。
【００２２】
本明細書において「変動表示」とは、表示されている図柄の種類が時間の経過とともに変化している状態を意味している。本明細書において「確定停止表示」とは、図柄が確定的に停止表示されており、表示されている図柄の種類が変化しない状態を意味している。本明細書においては、図柄について「確定停止表示」と「導出」とは同じ意味である。第１特別図柄表示部２２ａ、第２特別図柄表示部２２ｂにおいて導出可能な特別図柄には、それぞれ大当り表示結果としての大当り図柄と、はずれ表示結果としてのはずれ図柄とがある。特別ゲームにおいて、大当り図柄が導出された場合、遊技者により大当りとなることが認識可能である。特別ゲームにおいて、はずれ図柄が導出された場合、遊技者によりはずれとなることが認識可能である。
【００２３】
本実施形態において、第１特別ゲーム及び第２特別ゲームは、同時に実行されない。本実施形態において、第２特別ゲームは、第１特別ゲームに優先して実行される。本実施形態では、大当り抽選に当選した場合、特別ゲームにおいて大当り図柄が導出され、該特別ゲームの終了後、大当り遊技が付与される。つまり、大当り遊技は、大当り抽選に当選したことを条件として付与される遊技である。詳しくは後述するが、大当り遊技は、多数の賞球が獲得できる遊技であるため、遊技者にとって有利な遊技（状態）である。
【００２４】
情報表示装置２２は、第１特別保留表示部２２ｃを備えている。第１特別保留表示部２２ｃは、保留条件が成立したが未だ実行条件が成立していないことで、その実行が保留されている第１特別ゲームの回数を認識可能な情報を表示する。以下の説明では、保留中の第１特別ゲームの回数を「第１特別保留数」（第１保留ゲーム数）と示す。情報表示装置２２は、第２特別保留表示部２２ｄを備えている。第２特別保留表示部２２ｄは、保留条件が成立したが未だ実行条件が成立していないことで、その実行が保留されている第２特別ゲームの回数を認識可能な情報を表示する。以下の説明では、保留中の第２特別ゲームの回数を「第２特別保留数」（第２保留ゲーム数）と示す。例えば、第１特別保留数及び第２特別保留数の最大値は、それぞれ「４」である。
【００２５】
情報表示装置２２は、普通図柄表示部２２ｅを備えている。普通図柄表示部２２ｅは、１種類又は複数種類の普通図柄を表示可能に構成されている。普通図柄表示部２２ｅは、所定の図柄を変動表示させ、最終的に普通図柄を確定停止表示させる普通図柄変動ゲーム（普通変動ゲーム）を実行可能である。以下の説明では、普通図柄変動ゲームを略して「普通ゲーム」と示す。普通図柄表示部２２ｅに導出可能な普通図柄には、普通当り図柄と、普通はずれ図柄とがある。普通ゲームにおいて普通当り図柄が導出された場合、遊技者により普通当りとなることが認識可能となる。普通ゲームにおいて、普通はずれ図柄が導出された場合、遊技者により普通はずれとなることが認識可能となる。本実施形態では、普通図柄の当り抽選に当選すると、普通ゲームにおいて普通当り図柄が導出され、該普通ゲームの終了後、普通当り遊技が付与される。詳しくは後述するが、普通当り遊技は、第２特別ゲームの保留条件を成立させ易くなることから、遊技者にとって有利な状態である。
【００２６】
情報表示装置２２は、普通保留表示部２２ｆを備えている。普通保留表示部２２ｆは、保留条件が成立したが未だ実行条件が成立していないことで、その実行が保留されている普通ゲームの回数（普通保留ゲーム数）を認識可能な情報を表示する。例えば、普通保留数の最大値は、「４」である。
【００２７】
次に、遊技盤２０について説明する。
遊技盤２０は、その遊技盤２０の表面側（前面側）をレールによって略円形に区画することによって、遊技領域２１が形成されている。また、パチンコ遊技機１０は、遊技領域２１の略中央に、各種の装飾が施されたセンター枠２６を備えている。センター枠２６は、開口部２６ａを備えている。なお、センター枠２６は、センター役物と表現してもよい。
【００２８】
パチンコ遊技機１０は、演出表示装置２７を備えている。演出表示装置２７は、画像が表示される表示領域２７ｒを備えている。演出表示装置２７は、センター枠２６の開口部２６ａを介して、遊技者により表示領域２７ｒを視認可能となるように、遊技盤２０に組み付けられている。演出表示装置２７は、演出の１つとして、所定のキャラクタや文字を模した画像（絵柄）を表示する演出（以下、表示演出と示す）を実行する。
【００２９】
本実施形態において、演出表示装置２７が実行可能な表示演出には、演出図柄を複数列で変動表示させるとともに、最終的に演出図柄の組み合わせを導出させる演出図柄変動ゲームがある。以下の説明では、演出図柄変動ゲームを略して「演出ゲーム」と示す。演出図柄は、キャラクタや模様等の装飾が施された図柄（飾り図柄）であって、表示演出を多様化させるためのものである。本実施形態において、演出ゲームは、第１列、第２列、及び第３列の図柄列をそれぞれ所定の方向に変動表示（スクロール表示）させて行われる。
【００３０】
演出ゲームは、特別ゲームの開始に伴って開始され、特別ゲームの終了に伴って終了される。そして、演出ゲームでは、特別ゲームにて導出された特別図柄に応じた演出図柄の組み合わせが導出される。特別ゲームにおいて、大当り図柄が導出される場合には、演出ゲームにおいて、演出図柄による大当りの図柄組み合わせが導出される。例えば、演出図柄による大当りの図柄組み合わせは、「３３３」や「７７７」などのように、全列の演出図柄が同一となる図柄組み合わせである。特別ゲームにおいて、はずれ図柄が導出される場合には、演出ゲームにおいて、演出図柄によるはずれの図柄組み合わせが導出される。例えば、演出図柄によるはずれの図柄組み合わせは、「７８７」や「５５６」などのように、少なくとも一部列の演出図柄が他列の演出図柄とは異なる図柄組み合わせである。なお、演出ゲームにおいては、演出図柄が確定停止表示される前に一旦停止表示されてもよい。本明細書において「一旦停止表示」とは、演出図柄が確定停止表示される前の仮停止状態であり、例えば、演出図柄がゆれ変動表示されている状態である。
【００３１】
演出ゲームは、リーチを形成して行うリーチ演出を含む場合がある。リーチは、複数列のうち特定列（本実施形態では第１列と第３列）に同一の演出図柄が一旦停止表示されており、且つ特定列とは異なる列（本実施形態では第２列）の演出図柄が引き続き変動表示されている状態である。例えば、リーチ演出には、登場させるキャラクタや演出図柄の動作が異なる複数種類のリーチ演出があってもよい。
【００３２】
パチンコ遊技機１０は、センター枠２６の下方において、遊技領域２１に開口している第１始動口２８を備えている。第１始動口２８は、常時、遊技球を入球させることができるように開口されている。第１始動口２８は、遊技球が入球可能である。パチンコ遊技機１０は、第１始動口２８に入球した遊技球を検知する第１始動センサＳＥ１を備えている。例えば、第１始動センサＳＥ１は、第１始動口２８に入球した遊技球が通過する通路に設けられている。本実施形態では、第１始動センサＳＥ１で遊技球が検知されると、第１特別ゲームの保留条件（第１保留条件）が成立し得るとともに、賞球の払出条件が成立する。
【００３３】
パチンコ遊技機１０は、センター枠２６の下方において、遊技領域２１に開口している第２始動口２９を備えている。第２始動口２９は、遊技球が入球可能である。パチンコ遊技機１０は、第２始動口２９に入球した遊技球を検知する第２始動センサＳＥ２を備えている。例えば、第２始動センサＳＥ２は、第２始動口２９に入球した遊技球が通過する通路に設けられている。本実施形態では、第２始動センサＳＥ２で遊技球が検知されると、第２特別ゲームの保留条件（第２保留条件）が成立し得るとともに、賞球の払出条件が成立する。
【００３４】
パチンコ遊技機１０は、遊技領域２１において、許容状態（開状態）と、規制状態（閉状態）と、に動作が可能な普通可変部材３０を備えている。許容状態は、遊技球を第２始動口２９へ入球させることができる、又は入球させ易い状態である。規制状態は、遊技球を第２始動口２９へ入球させることができない、又は入球させ難い状態である。パチンコ遊技機１０は、普通可変部材３０を動作させる普通アクチュエータＡ１を備えている（図７に示す）。普通可変部材３０は、普通当り遊技において、許容状態に動作される。このように、普通可変部材３０は、第２始動口２９が許容状態と規制状態とを取り得るように動作する。
【００３５】
パチンコ遊技機１０は、センター枠２６の右下方において、遊技領域２１に開口している大入賞口３１を備えている。パチンコ遊技機１０は、大入賞口３１に入球した遊技球を検知する特別入賞センサＳＥ３を備えている。例えば、特別入賞センサＳＥ３は、大入賞口３１に入球した遊技球が通過する通路に設けられている。本実施形態では、特別入賞センサＳＥ３で遊技球が検知されると、賞球の払出条件が成立する。このように、特別検知手段としての特別入賞センサＳＥ３は、大入賞口３１への遊技球の入球（大入賞口３１へ入球した遊技球）を検知する。
【００３６】
パチンコ遊技機１０は、遊技領域２１において、許容状態（開状態）と、規制状態（閉状態）と、に動作が可能な特別可変部材３２を備えている。許容状態は、遊技球を大入賞口３１へ入球させることができる、又は入球させ易い状態である。規制状態は、遊技球を大入賞口３１へ入球させることができない、又は入球させ難い状態である。パチンコ遊技機１０は、特別可変部材３２を動作させる特別アクチュエータＡ２を備えている（図７に示す）。特別可変部材３２は、大当り遊技において、許容状態に動作される。このように、特別開閉手段としての特別可変部材３２は、特別入球口としての大入賞口３１が許容状態と規制状態とを取り得るように動作する。
【００３７】
パチンコ遊技機１０は、大入賞口３１の下流において、大入賞口３１に入球した遊技球が通過可能な特殊通過領域３６と、通常通過領域３７と、を備えている。大入賞口３１に入球した遊技球が通過する通路は、第１通路と第２通路とに分岐する通路であり、第１通路に特殊通過領域３６が、第２通路に通常通過領域３７がそれぞれ設けられている。
【００３８】
パチンコ遊技機１０は、特殊通過領域３６を通過した遊技球を検知する特殊通過センサＳＥ６を備えている。このように、特殊通過検知手段としての特殊通過センサＳＥ６は、大入賞口３１に入球した遊技球が特殊通過領域３６を通過したこと（特殊通過領域３６を通過した遊技球）を検知する。本実施形態では、特殊通過センサＳＥ６で遊技球が検知されると、大当り遊技の終了後に、特典として高確率状態が付与される。つまり、特殊通過領域３６への遊技球の通過に応じて、大当り遊技の終了後における高確率状態への制御が特典として付与される。
【００３９】
パチンコ遊技機１０は、通常通過領域３７を通過した遊技球を検知する通常通過センサＳＥ７を備えている。このように、通常通過検知手段としての通常通過センサＳＥ７は、大入賞口３１に入球した遊技球が通常通過領域３７を通過したこと（通常通過領域３７を通過した遊技球）を検知する。
【００４０】
パチンコ遊技機１０は、大入賞口３１に入球した遊技球が通過する通路が分岐する箇所において、第１振分状態と第２振分状態とに動作が可能な振分部材３８を備えている。第１振分状態は、大入賞口３１に入球した遊技球を特殊通過領域３６に振り分けることができる状態である。第２振分状態は、大入賞口３１に入球した遊技球を通常通過領域３７に振り分けることができる状態である。パチンコ遊技機１０は、振分手段としての振分部材３８を動作させる振分アクチュエータＡ３を備えている（図７に示す）。
【００４１】
パチンコ遊技機１０は、遊技領域２１のうち、センター枠２６の右方に、遊技球が通過（入球）可能なゲート３３を備えている。普通始動入球口としてのゲート３３は、遊技球が入球可能であり、ゲート３３を通過する遊技球を検知するゲートセンサＳＥ４を備えている（図７に示す）。本実施形態では、ゲートセンサＳＥ４で遊技球が検知されると、普通ゲームの保留条件が成立し得る。
【００４２】
パチンコ遊技機１０は、センター枠２６の右方において、遊技領域２１に開口している一般入賞口３４を備えている。パチンコ遊技機１０は、一般入賞口３４に入球した遊技球を検知する一般入賞センサＳＥ５を備えている（図７に示す）。例えば、一般入賞センサＳＥ５は、一般入賞口３４に入球した遊技球が通過する図示しない通路に設けられている。本実施形態では、一般入賞センサＳＥ５で遊技球が検知されると、賞球の払出条件が成立する。なお、パチンコ遊技機１０は、複数の一般入賞口を備えていてもよい。
【００４３】
本実施形態のパチンコ遊技機１０は、入賞口として、第１始動口２８、第２始動口２９、大入賞口３１、及び一般入賞口３４を備えている。なお、パチンコ遊技機１０は、上記入賞口とは異なる入賞口を備えていてもよい。「入賞」は、遊技球が入賞口に入球することである。また、パチンコ遊技機１０は、釘や風車など、遊技領域２１を流下する遊技球の挙動に変化を与えるための部材を備えている。
【００４４】
次に、パチンコ遊技機１０の遊技状態について説明する。
パチンコ遊技機１０は、大当り確率が異なる遊技状態として、低確率状態と高確率状態とを備えている。大当り確率は、大当り抽選において大当りに当選する確率である。高確率状態は、低確率状態に比して、大当り確率が高い遊技状態である。高確率状態では、大当り抽選に当選する可能性が低確率状態に比して高まることから、遊技者にとって有利な遊技状態となる。高確率状態は、所謂「確率変動状態（確変状態）」である。
【００４５】
パチンコ遊技機１０は、遊技球の発射数に対する賞球数の割合が異なる遊技状態として、低ベース状態と高ベース状態とを備えている。高ベース状態は、低ベース状態に比して、第２始動口２９に遊技球が入球する確率が高い遊技状態である。高ベース状態は、所謂「電サポ状態」であり、低ベース状態は、所謂「非電サポ状態」である。高ベース状態では、第２始動口２９に遊技球が入球する確率が高まり、第２始動口２９への遊技球の入球が容易になることから、遊技者にとって有利な遊技状態（入球容易状態、入球率向上状態）となる。
【００４６】
例えば、高ベース状態は、次に説明する３つの制御のうち任意に選択された１の制御を行うことにより、又は複数の制御を組み合わせて行うことにより実現できる。第１の制御は、普通ゲームの変動時間を、低ベース状態のときよりも短くする普通図柄の変動時間短縮制御である。第２の制御は、普通図柄の当り抽選に当選する確率（普通当り確率）を、低ベース状態のときよりも高確率に変動させる普通図柄の確率変動制御である。第３の制御は、１回の普通当り遊技における普通可変部材３０の合計開放時間を、低ベース状態のときよりも長くする開放時間延長制御である。なお、開放時間延長制御としては、１回の普通当り遊技における普通可変部材３０の開放回数を、低ベース状態のときよりも多くする制御、及び普通当り遊技における普通可変部材３０の１回の開放時間を、低ベース状態のときよりも長くする制御のうち、少なくとも一方の制御を行うとよい。
【００４７】
本実施形態では、低ベース状態における普通当り確率は０を超えている。このため、普通可変部材３０は、低ベース状態において、許容状態に動作され得る。なお、低ベース状態における普通当り確率は０であってもよい。この場合、普通可変部材３０は、低ベース状態において、許容状態に動作されない。つまり、低ベース状態は、高ベース状態と比べて第２始動口２９に遊技球が入球し難い又は第２始動口２９に遊技球が入球しない状態であるといえる。
【００４８】
また、高ベース状態は、次に説明する第４の制御を組み合わせて実現してもよい。第４の制御は、特別ゲームの変動時間（例えば平均の変動時間）を、低ベース状態のときよりも短くする特別図柄の変動時間短縮制御である。特別図柄の変動時間短縮制御を行う場合、高ベース状態は、特別図柄についての、所謂「変動時間短縮状態」となる。これに対して、低ベース状態は、特別図柄についての、所謂「非変動時間短縮状態」となる。
【００４９】
以下の説明では、低確率状態且つ低ベース状態である遊技状態を「低確低ベース状態」と示し、高確率状態且つ低ベース状態である遊技状態を「高確低ベース状態」と示す。また、低確率状態且つ高ベース状態である遊技状態を「低確高ベース状態」と示し、高確率状態且つ高ベース状態である遊技状態を「高確高ベース状態」と示す。
【００５０】
次に、本実施形態に特徴的な設定変更機能について説明する。
図２に示すように、本実施形態のパチンコ遊技機１０では、複数種類の設定値（設定情報）として大当り確率を設定可能である。具体的に言えば、本実施形態のパチンコ遊技機１０では、複数種類の設定値として第１設定値から第６設定値までの全６段階にわたって大当り確率を設定可能である。以下の説明では、「第ｎ設定値が設定されている」ことを、単に［設定ｎ］と示す場合がある（但し、ｎ＝１〜６）。
【００５１】
各設定（設定１〜設定６）の大当り確率Ｋ１〜Ｋ６は、大当り確率Ｋ１＜Ｋ２＜Ｋ３＜Ｋ４＜Ｋ５＜Ｋ６の順に高確率であり、大当りに当選し易くなっている。大当り確率Ｋ１〜Ｋ６は、低確率状態であるときの大当り確率と、高確率状態であるときの大当り確率とをセットにしたものである。つまり、複数種類の設定値には、低確率状態における大当り確率と、高確率状態における大当り確率とが定められている。以上のように、本実施形態のパチンコ遊技機１０では、設定値に応じて大当り確率が変化する。また、高確率状態に制御されている場合における大当り確率（大当り抽選の当選確率）と、低確率状態に制御されている場合における大当り確率とは、現状の設定値に応じて異なることとなる。なお、設定値は、６段階である必要はなく、２段階から５段階、及び７段階以上のうち何れであってもよい。
【００５２】
図３に示すように、本実施形態のパチンコ遊技機１０では、設定器４０ｅ（図７に示す）の設定操作部（図示せず）をオン状態に操作した状態であって、且つＲＷＭクリアスイッチ４０ｄ（図７に示す）をオン状態に操作した状態にて電源投入されると、設定変更モードへ移行する。
【００５３】
設定変更モードでは、内部的に設定されている設定値が報知され、ＲＷＭクリアスイッチ４０ｄの操作毎に、内部的に設定されている設定値を、［設定１］→［設定２］→…→［設定５］→［設定６］→［設定１］→…というように、ループするように変更できる。また、設定変更モードは、設定器４０ｅの設定操作部をオフ状態に操作すると終了する。
【００５４】
また、ＲＷＭクリアスイッチ４０ｄをオン状態に操作した状態にて電源投入されると、バックアップされている各種情報が初期化されることから、設定変更モードへ移行したときには、バックアップされている各種情報が初期化されるように構成されている。
【００５５】
本実施形態のパチンコ遊技機１０では、設定器４０ｅの設定操作部をオン状態に操作した状態であって、ＲＷＭクリアスイッチ４０ｄがオフ状態である状態にて電源投入されると、設定確認モードへ移行する。
【００５６】
設定確認モードでは、内部的に設定されている設定値が報知され、ＲＷＭクリアスイッチ４０ｄを操作しても、内部的に設定されている設定値を変更できない。設定確認モードは、設定器４０ｅの設定操作部をオフ状態に操作すると終了する。
【００５７】
次に、パチンコ遊技機１０における大当りについて説明する。
本実施形態のパチンコ遊技機１０は、特別図柄の大当り図柄として、複数種類の大当り図柄を備えている。複数種類の大当り図柄には、それぞれ大当りの種類が定められている。複数種類の大当り図柄（大当りの種類）には、それぞれ大当り遊技の種類が定められている。
【００５８】
大当り遊技では、最初に、予め定めたオープニング時間にわたって、大当り遊技の開始を報知するオープニング演出が行われる。大当り遊技では、オープニング時間の経過後に、大入賞口３１を開放する複数回のラウンド遊技が行われる。ラウンド遊技は、上限回数を上限として行われる。本実施形態において、上限回数は、予め定めた回数である。
【００５９】
１回のラウンド遊技は、予め定めた上限数（本実施形態では「９」）の遊技球が大入賞口３１に入球する第１終了条件、又は予め定めた上限時間が経過する第２終了条件が成立することによって終了される。つまり、複数回のラウンド遊技のそれぞれが終了する終了条件には、大入賞口３１に入球した遊技球の入球数が上限数となる第１終了条件と、大入賞口３１に入球した遊技球の入球数が上限数とならずに予め定めた上限時間が経過する第２終了条件とがある。ラウンド遊技において、大入賞口３１は、所定の開放態様で開放され、詳しくは、ラウンド遊技の開始を契機として開状態を取り、ラウンド遊技の終了を契機として閉状態を取る。ラウンド遊技では、ラウンド演出が行われる。このように、特別可変部材３２は、複数回のラウンド遊技のそれぞれにおいて大入賞口３１が開状態を取り得るように動作することとなり、各ラウンド遊技が開始する開始条件が成立すると大入賞口３１が開状態を取り、各ラウンド遊技が終了する終了条件が成立すると大入賞口３１が閉状態を取ることとなる。そして、大当り遊技では、最終回のラウンド遊技が終了すると、予め定めたエンディング時間にわたって、大当り遊技の終了を報知するエンディング演出が行われる。大当り遊技は、エンディング時間の経過に伴って終了される。
【００６０】
次に、パチンコ遊技機１０における具体的な大当りについて説明する。
図４に示すように、本実施形態において、第１特別ゲームのゲーム結果として第１特別図柄表示部２２ａに表示される１００種類の大当り図柄のうち、４０種類の大当り図柄が図柄ＺＡに、４種類の大当り図柄が図柄ＺＢに、２種類の大当り図柄が図柄ＺＣに、それぞれ分類されている。また、４種類の大当り図柄が図柄ＺＤに、５種類の大当り図柄が図柄ＺＥに、４５種類の大当り図柄が図柄ＺＦに、それぞれ分類されている。また、第２特別ゲームのゲーム結果として第２特別図柄表示部２２ｂに表示される１００種類の大当り図柄のうち、８０種類の大当り図柄が図柄Ｚａに、２０種類の大当り図柄が図柄Ｚｂに、それぞれ分類されている。このように、本実施形態において、第１特別ゲームの大当りの種類としては６種類の大当りがあり、第２特別ゲームの大当りの種類としては２種類の大当りがあるが、これに限らない。以下、大当りの種類としては、大当り図柄の種類を用いて、図柄ＺＡ〜ＺＦ，Ｚａ，Ｚｂに基づく大当りと表現する。また、大当りの種類に基づいて付与される大当り遊技の種類としても、大当り図柄の種類を用いて、図柄ＺＡ〜ＺＦ，Ｚａ，Ｚｂに基づく大当り遊技と表現する。
【００６１】
図柄ＺＡ〜ＺＦに基づく大当り遊技としては、ラウンド遊技の上限回数として６回が定められている。図柄Ｚａに基づく大当り遊技としては、ラウンド遊技の上限回数として１０回が、図柄Ｚｂに基づく大当り遊技としては、ラウンド遊技の上限回数として４回がそれぞれ定められている。
【００６２】
本実施形態において、各大当り遊技としては、ラウンド遊技の上限時間としては２５ｓが規定されている。なお、本実施形態において、複数回のラウンド遊技のそれぞれには、ラウンド遊技の終了後にラウンド間インターバル時間（本実施形態では２．５ｓ）が設定（規定）されており、ラウンド間インターバル時間が経過すると、次のラウンド遊技が開始される、又は、エンディング時間が開始されることとなる。また、本実施形態において、全ての種類の大当り遊技としては、同じオープニング時間（本実施形態では１０ｓ）、同じエンディング時間（本実施形態では２５ｓ）がそれぞれ定められている。
【００６３】
各大当り遊技としては、振分部材３８の制御内容を示す振分制御情報が定められている。本実施形態において、振分部材３８を第２振分状態から第１振分状態に動作させた後に第１振分状態から第２振分状態に動作させる作動ラウンド遊技としては、２〜４回目という複数回のラウンド遊技が定められている。このような作動ラウンド遊技は、振分部材３８を第２振分状態から第１振分状態に動作させることができるラウンド遊技であり、大入賞口３１に入球した遊技球が特殊通過領域３６を通過可能なラウンド遊技であるともいえる。このため、作動ラウンド遊技が開始されると、大当りの種類に定められた振分制御情報に基づいて、振分部材３８が第２振分状態から第１振分状態に動作された後に第１振分状態から第２振分状態に動作される。作動ラウンド遊技ではない非作動ラウンド遊技では、振分部材３８が第２振分状態から第１振分状態に動作されずに第２振分状態を維持する。このように、複数回のラウンド遊技には、振分部材３８を第１振分状態に動作させ得る作動ラウンド遊技と、振分部材３８を第１振分状態に動作させない非作動ラウンド遊技とがある。また、本実施形態において、複数回のラウンド遊技には、連続する複数回の作動ラウンド遊技がある。
【００６４】
振分部材３８の制御内容（振分制御）には、振分部材３８が第１振分状態となる時間が短い短振分制御と、振分部材３８が第１振分状態となる時間が長い長振分制御とがある。つまり、振分部材３８の制御内容には、第１振分状態を取る時間が異なるように振分部材３８を動作させる複数種類の振分制御がある。
【００６５】
また、振分制御情報としては、各大当りの種類と各作動ラウンド遊技とに対応するように各振分制御の開始条件が定められている。具体的に、各振分制御の開始条件は、作動ラウンド遊技において特別入賞センサＳＥ３で検知された遊技球の入球数が規定数となったことを契機として成立する。詳しくは、短振分制御の開始条件としては、全ての種類の大当り遊技で同じように、各作動ラウンド遊技において特別入賞センサＳＥ３で検知された遊技球の入球数が「１」となったことを契機として成立する。
【００６６】
長振分制御の開始条件としては、図柄ＺＡ〜ＺＥ，Ｚａに基づく大当り遊技では、各作動ラウンド遊技の何れかにおいて特別入賞センサＳＥ３で検知された遊技球の入球数が「２」又は「５」となったことを契機として成立し、図柄ＺＦ，Ｚｂに基づく大当り遊技では、各作動ラウンド遊技の何れにおいても成立しない（図中では「０」と示す）。
【００６７】
詳しくは、図柄ＺＡ，Ｚａに基づく大当り遊技では、２〜４回目のラウンド遊技において、特別入賞センサＳＥ３で検知された遊技球の入球数が「２」となったことを契機として長振分制御の開始条件が成立する。図柄ＺＢに基づく大当り遊技では、３回目のラウンド遊技において、特別入賞センサＳＥ３で検知された遊技球の入球数が「２」となったことを契機として長振分制御の開始条件が成立し、２、４回目のラウンド遊技において、特別入賞センサＳＥ３で検知された遊技球の入球数に関係なく長振分制御の開始条件が成立しない。図柄ＺＣに基づく大当り遊技では、３回目のラウンド遊技において、特別入賞センサＳＥ３で検知された遊技球の入球数が「５」となったことを契機として長振分制御の開始条件が成立し、２、４回目のラウンド遊技において、特別入賞センサＳＥ３で検知された遊技球の入球数に関係なく長振分制御の開始条件が成立しない。図柄ＺＤに基づく大当り遊技では、４回目のラウンド遊技において、特別入賞センサＳＥ３で検知された遊技球の入球数が「２」となったことを契機として長振分制御の開始条件が成立し、２、３回目のラウンド遊技において、特別入賞センサＳＥ３で検知された遊技球の入球数に関係なく長振分制御の開始条件が成立しない。図柄ＺＥに基づく大当り遊技では、４回目のラウンド遊技において、特別入賞センサＳＥ３で検知された遊技球の入球数が「５」となったことを契機として長振分制御の開始条件が成立し、２、３回目のラウンド遊技において、特別入賞センサＳＥ３で検知された遊技球の入球数に関係なく長振分制御の開始条件が成立しない。
【００６８】
なお、本実施形態において、長振分制御の開始条件となる入球数は、短振分制御の開始条件となる入球数よりも大きくなるように規定されている。このため、作動ラウンド遊技においては、短振分制御が行われた後に、長振分制御が行われる場合があり、長振分制御が行われた後に、短振分制御が行われることはない。
【００６９】
また、図５に示すように、振分制御情報としては、各振分制御の終了条件が定められている。短振分制御の終了条件としては、開始条件が成立してから０．０２８ｓが経過した場合、又は、開始条件が成立してから０．０２８ｓが経過するまでに作動ラウンド遊技が終了する場合に成立する。なお、本実施形態において、短振分制御の終了条件としては、大入賞口３１に入球した遊技球が大入賞口３１に入球してから（特別入賞センサＳＥ３により検知されてから）振分部材３８に達するまでに必要な時間よりも極めて短い時間が定められている。つまり、大入賞口３１に遊技球が入球して短振分制御の開始条件が成立した場合には、振分部材３８が第１振分状態となるが、その大入賞口３１に入球した遊技球が振分部材３８に達するまでに短振分制御の終了条件が成立し、振分部材３８が第２振分状態となる。
【００７０】
また、長振分制御の終了条件としては、開始条件が成立してから経過する時間に関係なく、作動ラウンド遊技が終了してから予め定めた時間（本実施形態では２ｓ）が経過した場合に成立する。なお、本実施形態において、長振分制御の終了条件としては、大入賞口３１に入球した遊技球が大入賞口３１に入球してから（特別入賞センサＳＥ３により検知されてから）振分部材３８に達するまでに十分な時間が定められている。つまり、大入賞口３１に遊技球が入球して長振分制御の開始条件が成立した場合には、振分部材３８が第１振分状態となり、その大入賞口３１に入球した遊技球が振分部材３８に達するまでは、長振分制御の終了条件が成立せずに、振分部材３８が第１振分状態を継続する。
【００７１】
このように、長振分制御は、特殊通過領域３６への遊技球の振分を可能とする振分制御であり、短振分制御と比べて、大入賞口３１に入球した遊技球が特殊通過領域３６を通過し易い振分制御であるといえる（通過許容）。また、短振分制御は、長振分制御と比べて、大入賞口３１に入球した遊技球が特殊通過領域３６を通過し難い振分制御であるともいえる（通過規制）。したがって、図柄ＺＡ〜ＺＥ，Ｚａに基づく大当り遊技において、特殊通過領域３６への遊技球の通過を可能とする作動ラウンド遊技が行われることとなる一方で、図柄ＺＦ，Ｚｂに基づく大当り遊技において、特殊通過領域３６への遊技球の通過を可能とする作動ラウンド遊技が行われないこととなる。
【００７２】
具体的な一例をあげると、図柄ＺＡに基づく大当り遊技では、２〜４回目のラウンド遊技のそれぞれにおいて、特別入賞センサＳＥ３で検知された遊技球の入球数が「２」となったことを契機として、長振分制御が行われる。その一方で、図柄ＺＦに基づく大当り遊技で２〜４回目のラウンド遊技のそれぞれでは、長振分制御が行われない。
【００７３】
特に、図柄ＺＢに基づく大当り遊技では、３回目のラウンド遊技において、特別入賞センサＳＥ３で検知された遊技球の入球数が「２」となったことを契機として、長振分制御が行われる。この場合、大入賞口３１に流下するように遊技球が発射されていると、３回目のラウンド遊技において大入賞口３１に入球した２球目の遊技球が特殊通過領域３６を通過することとなる。つまり、図柄ＺＢに基づく大当り遊技における３回目のラウンド遊技は、大入賞口３１に入球したと検知された遊技球の数が「２」となったことを契機として、長振分制御に基づく振分態様で振分部材３８を動作させるラウンド遊技であるといえる。
【００７４】
また、図柄ＺＥに基づく大当り遊技では、４回目のラウンド遊技において、特別入賞センサＳＥ３で検知された遊技球の入球数が「５」となったことを契機として、長振分制御が行われる。この場合、大入賞口３１に流下するように遊技球が発射されていると、４回目のラウンド遊技において大入賞口３１に入球した５球目の遊技球が特殊通過領域３６を通過することとなる。つまり、図柄ＺＥに基づく大当り遊技における４回目のラウンド遊技は、大入賞口３１に入球したと検知された遊技球の数が「５」となったことを契機として、長振分制御に基づく振分態様で振分部材３８を動作させるラウンド遊技であるといえる。
【００７５】
このように、図柄ＺＡ〜ＺＥ，Ｚａに基づく大当り遊技では、作動ラウンド遊技のうち少なくとも何れかにおいて大入賞口３１に入球したと検知された遊技球の数が規定数となったことを契機として、長振分制御に基づく振分態様で振分部材３８が動作する。このため、大入賞口３１に流下するように遊技球が発射されていれば、大入賞口３１に入球した遊技球の何れかが特殊通過領域３６を通過可能である。一方、図柄ＺＦ，Ｚｂに基づく大当り遊技では、長振分制御に基づく振分態様で振分部材３８が動作することがない。このため、大入賞口３１に流下するように遊技球が発射されていても、大入賞口３１に入球した遊技球が特殊通過領域３６を通過不能である。
【００７６】
本実施形態において、作動ラウンド遊技が所定ラウンド遊技に相当し、作動ラウンド遊技のうち３回目のラウンド遊技が第１所定ラウンド遊技に、４回目のラウンド遊技が第２所定ラウンド遊技にそれぞれ相当する。本実施形態において、短振分制御に基づいて振分部材３８を動作させる振分態様が第１振分態様に、長振分制御に基づいて振分部材３８が動作する振分態様が第２振分態様にそれぞれ相当する。また、ラウンド遊技において大入賞口３１に入球した遊技球の入球数として「１」、「２」、「５」が規定数に相当し、「２」が第１規定数に、「５」が第２規定数にそれぞれ相当する。
【００７７】
図６に示すように、大当り遊技中に特殊通過領域３６を遊技球が通過した場合、その大当り遊技の終了後の遊技状態として、次回の大当り遊技が付与される迄の間、高確率状態、高ベース状態が付与される。一方、大当り遊技中に特殊通過領域３６を遊技球が通過しなかった場合、その大当り遊技の終了後の遊技状態として、高確率状態が付与されずに低確率状態が付与される。大当り遊技中に特殊通過領域３６を遊技球が通過しなかった場合、その大当り遊技の終了後の遊技状態として、予め定められた上限回数（本実施形態では１００回）の特別ゲームが終了される迄の間、又は上限回数の特別ゲームが終了される前に大当り遊技が付与される迄の間、高ベース状態が付与される。
【００７８】
なお、本実施形態において、大当り確率としては、図２に示すような確率がそれぞれ定められている。普通当り確率としては、低ベース状態では１／６５５３６が、高ベース状態では６５５３４／６５５３５がそれぞれ定められている。１回の普通当り遊技における普通可変部材３０の合計開放時間としては、低ベース状態では３９６ｍｓが、高ベース状態では５６８０ｍｓがそれぞれ定められている。賞球数としては、第１始動センサＳＥ１で遊技球が検知されたときには「４」が、第２始動センサＳＥ２で遊技球が検知されたときには「１」が、特別入賞センサＳＥ３で遊技球が検知されたときには「１５」が、一般入賞センサＳＥ５で遊技球が検知されたときには「５」がそれぞれ定められている。
【００７９】
次に、パチンコ遊技機１０の電気的構成について説明する。
図７に示すように、パチンコ遊技機１０は、遊技盤２０の裏側（後方）に主制御基板４０を備えている。主制御基板４０は、各種の処理を行い、該処理の結果に応じて制御信号（制御コマンド）を出力する。
【００８０】
また、パチンコ遊技機１０は、遊技盤２０の裏側（後方）に副制御基板４１を備えている。副制御基板４１は、主制御基板４０から入力した制御信号に基づいて所定の処理を実行する。例えば、副制御基板４１は、装飾ランプ１７による発光演出、スピーカ１８による音声演出、及び演出表示装置２７による表示演出を実行させるための処理を行う。
【００８１】
また、パチンコ遊技機１０は、遊技盤２０の裏側（後方）に電源ユニット６０を備えている。電源ユニット６０は、電源スイッチ６０ａがオン状態に切り替える操作が行われることによって、各制御基板４０，４１に電力供給を行うユニットである。
【００８２】
なお、本実施形態のパチンコ遊技機１０は、バックアップ機能を搭載している。バックアップ機能は、外部電源からの電力供給が停止した場合でも遊技制御に関する各種情報を内部的に保持（バックアップ）しておき、電力供給が開始されたときに、保持している各種情報に基づいて遊技制御を復帰する機能である。また、本実施形態において、主制御基板４０がバックアップ機能を搭載しており、副制御基板４１は、バックアップ機能を搭載していない。
【００８３】
まず、主制御基板４０について説明する。
主制御基板４０は、主制御ＣＰＵ４０ａと、主制御ＲＯＭ４０ｂと、主制御ＲＡＭ４０ｃと、ＲＷＭクリアスイッチ４０ｄと、設定器４０ｅと、表示器４０ｆとを備えている。主制御ＣＰＵ４０ａは、主制御プログラムを実行することにより、各種の処理を行う。
【００８４】
主制御ＲＯＭ４０ｂは、主制御プログラムや、所定の抽選に用いられるテーブルや判定値などを記憶している。また、主制御ＲＯＭ４０ｂは、複数種類の変動パターンを記憶している。変動パターンは、特別ゲームが開始されてから、特別ゲームが終了される迄の変動時間を特定可能な情報である。また、本実施形態において、変動パターンは、特別ゲームが開始されてから、特別ゲームが終了される迄の間に行われる演出ゲームの演出内容を特定可能な情報である。なお、変動パターンは、特別ゲームが開始されてから、特別ゲームが終了される迄の間に行われる演出ゲームの演出内容を特定可能な情報でなくてもよい。
【００８５】
変動パターンには、大当り変動パターンと、はずれリーチ変動パターンと、はずれ変動パターンとがある。大当り変動パターンには、演出ゲームの演出内容として、リーチ演出を経て最終的に大当りの図柄組み合わせを導出させる演出内容が定められている。はずれリーチ変動パターンには、演出ゲームの演出内容として、リーチ演出を経て、最終的にはずれの図柄組み合わせを導出させる演出内容が定められている。はずれ変動パターンには、演出ゲームの演出内容として、リーチ演出を経ないで、最終的にはずれの図柄組み合わせを導出させる演出内容が定められている。
【００８６】
主制御ＲＡＭ４０ｃは、パチンコ遊技機１０の動作中に書き換えられる様々な情報を記憶可能に構成されている。主制御ＲＡＭ４０ｃが記憶する情報は、例えばフラグ、カウンタ、及びタイマなどである。また、主制御基板４０は、乱数を生成可能に構成されている。例えば、乱数は、ハードウェア乱数として生成してもよく、ソフトウェア乱数として生成してもよい。
【００８７】
主制御ＣＰＵ４０ａと、センサＳＥ１〜ＳＥ７とは、接続されている。主制御ＣＰＵ４０ａは、センサＳＥ１〜ＳＥ７が遊技球を検知した際に出力する検知信号を入力可能に構成されている。
【００８８】
主制御ＣＰＵ４０ａと、アクチュエータＡ１〜Ａ３とは、接続されている。主制御ＣＰＵ４０ａは、アクチュエータＡ１〜Ａ３の動作を制御可能に構成されている。主制御ＣＰＵ４０ａと、情報表示装置２２とは、接続されている。主制御ＣＰＵ４０ａは、情報表示装置２２の表示内容を制御可能に構成されている。
【００８９】
なお、本実施形態のパチンコ遊技機１０において、主制御ＲＡＭ４０ｃは、電源断がされても、電源断がされたときに記憶している各種情報を所定期間にわたって保持可能に構成されている。例えば、主制御ＲＡＭ４０ｃは、電源ユニット６０に搭載された図示しないバックアップ用電源（例えば電気二重層コンデンサ）から供給される電力によって、電源断がされた後にも各種情報を保持するとよい。例えば、主制御ＲＡＭ４０ｃは、電力の供給を受けない状態であっても記憶内容を保持可能な不揮発性メモリであることにより、電源断がされた後にも各種情報を保持するようになっていてもよい。主制御ＣＰＵ４０ａは、これらの各種情報を主制御ＲＡＭ４０ｃに記憶させる制御を行う。
【００９０】
ここで、バックアップの対象となる各種情報には、遊技の進行に関する遊技情報と、設定値に関する設定値情報とが含まれている。例えば、遊技情報には、特別ゲームに関する情報、大当り遊技に関する情報、遊技状態に関する情報、及び賞球の払出しに関する情報が含まれている。
【００９１】
ＲＷＭクリアスイッチ４０ｄは、バックアップされている各種情報の初期化を指示する操作を可能に構成されている。本実施形態では、ＲＷＭクリアスイッチ４０ｄがオン状態であるときに電源投入されることにより、バックアップされている各種情報が初期化される。以下、ＲＷＭクリアスイッチ４０ｄをオン状態であるときに電源投入される操作を、初期化操作として説明する。
【００９２】
設定器４０ｅは、設定値に関する制御を行う設定制御状態としての設定制御モードへの移行を指示する操作を可能に構成されている。なお、本実施形態において、設定制御モードとしては、内部的に設定されている設定値を変更可能な設定変更モードと、内部的に設定されている設定値を変更不能であるが設定値を特定可能に表示する設定確認モードとがある。本実施形態では、設定器４０ｅの設定操作部（図示せず）がオン状態であって、ＲＷＭクリアスイッチ４０ｄがオン状態であるときに電源投入されることにより、設定変更モードに移行し、設定器４０ｅの設定操作部がオン状態であって、ＲＷＭクリアスイッチ４０ｄがオフ状態であるときに電源投入されることにより、設定確認モードに移行する。
【００９３】
表示器４０ｆは、本実施形態において、内部的に設定されている設定値を報知する表示を行うが、これに限らず、別の情報の表示を行ってもよい。
次に、副制御基板４１について説明する。
【００９４】
副制御基板４１と、主制御基板４０とは、接続されている。パチンコ遊技機１０では、主制御基板４０から副制御基板４１への一方向に制御信号を出力可能に構成されている。
副制御基板４１は、副制御ＣＰＵ４１ａと、副制御ＲＯＭ４１ｂと、副制御ＲＡＭ４１ｃと、を備えている。副制御ＣＰＵ４１ａは、副制御プログラムを実行することにより、各種の処理（例えば、演出に関する処理）を行う。副制御ＲＯＭ４１ｂは、副制御プログラムや、抽選に用いられるテーブルや判定値などを記憶している。副制御ＲＯＭ４１ｂは、演出表示装置２７における表示演出に関する表示演出データを記憶している。副制御ＲＯＭ４１ｂは、装飾ランプ１７における発光演出に関する発光演出データを記憶している。副制御ＲＯＭ４１ｂは、スピーカ１８における音声演出に関する音声演出データを記憶している。
【００９５】
副制御ＲＡＭ４１ｃは、パチンコ遊技機１０の動作中に適宜書き換えられる様々な情報を記憶可能に構成されている。副制御ＲＡＭ４１ｃが記憶する情報は、例えばフラグ、カウンタ、及びタイマなどである。また、副制御基板４１は、乱数を生成可能に構成されている。例えば、乱数は、ハードウェア乱数として生成してもよく、ソフトウェア乱数として生成してもよい。
【００９６】
副制御ＣＰＵ４１ａと、演出表示装置２７とは、接続されている。副制御ＣＰＵ４１ａは、演出表示装置２７の表示態様を制御可能に構成されている。副制御ＣＰＵ４１ａと、装飾ランプ１７とは、接続されている。副制御ＣＰＵ４１ａは、装飾ランプ１７の発光態様を制御可能に構成されている。副制御ＣＰＵ４１ａと、スピーカ１８とは、接続されている。副制御ＣＰＵ４１ａは、スピーカ１８の出力態様を制御可能に構成されている。副制御ＣＰＵ４１ａと、操作ボタン１９とは、接続されている。副制御ＣＰＵ４１ａは、操作ボタン１９が操作されたことを示す操作信号を入力可能に構成されている。
【００９７】
次に、電源ユニット６０について説明する。
電源ユニット６０は、遊技場などの外部電源から供給される電源電圧を各制御基板４０，４１へ供給すべき電源電圧に変換する。電源ユニット６０は、電源供給線を介して各制御基板４０，４１と接続されており、電源供給線を通じて各制御基板４０，４１に電力供給する。
【００９８】
電源ユニット６０は、電源スイッチ６０ａを備えており、外部電源からパチンコ遊技機１０へ電力が供給されている状態において、電源スイッチ６０ａをオフ状態からオン状態に操作にすると、各制御基板４０，４１に電力が供給され、さらにオフ状態に操作すると各制御基板４０，４１への電力供給が遮断される。
【００９９】
次に、パチンコ遊技機１０において行われる各種の処理について説明する。
最初に、主制御ＣＰＵ４０ａが行う電源投入処理について説明する。
主制御ＣＰＵ４０ａは、電源投入時の起動処理（ブート処理）によって起動すると、最初に電源投入処理を行う。電源投入処理では、電源投入時のＲＷＭクリアスイッチ４０ｄ及び設定器４０ｅの設定操作部の操作状態に応じて、設定制御モード（設定変更モード及び設定確認モード）への移行の有無、及び主制御ＲＡＭ４０ｃの初期化の有無が制御される。
【０１００】
まず、主制御ＣＰＵ４０ａは、電源投入時にＲＷＭクリアスイッチ４０ｄがオン状態に操作されたかを判定する。主制御ＣＰＵ４０ａは、ＲＷＭクリアスイッチ４０ｄがオン状態に操作されたときに出力される操作信号を入力した場合に、ＲＷＭクリアスイッチ４０ｄがオン状態に操作されたと判定する。
【０１０１】
電源投入時にＲＷＭクリアスイッチ４０ｄがオン状態に操作されたと判定した場合、主制御ＣＰＵ４０ａは、主制御ＲＡＭ４０ｃのＲＷＭクリア処理を行う。主制御ＲＡＭ４０ｃのＲＷＭクリア処理において、主制御ＣＰＵ４０ａは、主制御ＲＡＭ４０ｃにバックアップされている遊技情報を初期化する一方で、主制御ＲＡＭ４０ｃにバックアップされている設定値情報を初期化しない。このように、本実施形態において、主制御ＣＰＵ４０ａは、電源投入された場合にＲＷＭクリアスイッチ４０ｄがオン状態に操作されたとき（初期化操作が行われたとき）には、主制御ＲＡＭ４０ｃに記憶させた遊技情報を初期化する。
【０１０２】
主制御ＲＡＭ４０ｃのＲＷＭクリア処理を行った後、主制御ＣＰＵ４０ａは、電源投入時に設定器４０ｅがオン状態に操作されたかを判定する。主制御ＣＰＵ４０ａは、設定器４０ｅがオン状態に操作されたときに出力される操作信号を入力した場合に、設定器４０ｅがオン状態に操作されたと判定する。
【０１０３】
電源投入時に設定器４０ｅがオン状態に操作されたと判定しない場合（電源投入時に設定器４０ｅがオフ状態に操作されたと判定した場合）、主制御ＣＰＵ４０ａは、主制御ＲＡＭ４０ｃに割り当てられた主設定値フラグに記憶されている設定値を読み出すとともに、読み出した設定値を特定可能な設定値コマンドを副制御基板４１に出力する。この設定値コマンドにより特定される設定値は、電源断がされたときの設定値であり、バックアップされていた設定値でもある。
【０１０４】
主制御ＣＰＵ４０ａは、設定値コマンドを副制御基板４１に出力すると、初期化による起動を指定する情報（以下、「電源投入初期時コマンド」と示す）を副制御基板４１に出力する。主制御ＣＰＵ４０ａは、電源投入初期時コマンドを副制御基板４１に出力すると、電源投入処理を終了する。
【０１０５】
その一方で、電源投入時に設定器４０ｅがオン状態に操作されたと判定した場合、主制御ＣＰＵ４０ａは、設定変更制御処理を行う。設定変更制御処理において、主制御ＣＰＵ４０ａは、設定変更モードへ移行する。主制御ＣＰＵ４０ａは、設定変更モードへ移行すると、設定変更モードの開始を特定可能な情報（以下、「変更開始コマンド」と示す）を副制御基板４１に出力する。
【０１０６】
また、主制御ＣＰＵ４０ａは、設定変更モードへ移行すると、主制御ＲＡＭ４０ｃに割り当てられた主設定値フラグに記憶されている設定値を読み出すとともに、読み出した設定値を報知する表示を行うように表示器４０ｆを制御する。即ち、表示器４０ｆでは、電源断がされたときの設定値が報知される。また、上記主設定値フラグは、設定されている設定値を主制御ＣＰＵ４０ａが特定するためのフラグである。そして、主制御ＣＰＵ４０ａは、読み出した設定値を特定可能な情報（以下、「電源投入時設定値コマンド」と示す）を副制御基板４１に出力する。
【０１０７】
設定変更モードにおいて、主制御ＣＰＵ４０ａは、ＲＷＭクリアスイッチ４０ｄがオン状態に操作される毎に、設定値を、［設定１］→［設定２］→…→［設定５］→［設定６］→［設定１］→…というように、ループするように変更する。この処理において、主制御ＣＰＵ４０ａは、主設定値フラグに記憶されている設定値を更新することにより、設定値を変更する。例えば、主制御ＣＰＵ４０ａは、主設定値フラグに記憶されている設定値が「設定１」であるときにＲＷＭクリアスイッチ４０ｄがオン状態に操作された場合、「設定２」を特定可能な情報を、主制御ＲＡＭ４０ｃに割り当てられた主設定値フラグに記憶させる。また、主制御ＣＰＵ４０ａは、主設定値フラグに記憶されている設定値が「設定６」であるときにＲＷＭクリアスイッチ４０ｄがオン状態に操作された場合、「設定１」を特定可能な情報を、主制御ＲＡＭ４０ｃに割り当てられた主設定値フラグに記憶させる。また、主制御ＣＰＵ４０ａは、設定値を変更する毎に、変更後の設定値を報知する表示を行うように表示器４０ｆを制御する。
【０１０８】
主制御ＣＰＵ４０ａは、設定変更モードにおいて、設定器４０ｅがオフ状態に操作されると（設定器４０ｅがオン状態に操作されたときに出力される操作信号が入力されなくなると）、その時点において主設定値フラグに記憶させている設定値を確定し、設定変更モードを終了する。その後、主制御ＣＰＵ４０ａは、設定変更制御処理を終了する。
【０１０９】
主制御ＣＰＵ４０ａは、設定変更制御処理を終了すると、確定した設定値を特定可能な情報（以下、「設定値コマンド」と示す）を副制御基板４１に出力する。また、主制御ＣＰＵ４０ａは、設定変更モードの終了を特定可能な情報（以下、「変更終了コマンド」と示す）を副制御基板４１に出力する。
【０１１０】
その後、主制御ＣＰＵ４０ａは、初期化による起動を指定する情報（以下、「電源投入初期時コマンド」と示す）を副制御基板４１に出力する。主制御ＣＰＵ４０ａは、電源投入初期時コマンドを副制御基板４１に出力すると、電源投入処理を終了する。
【０１１１】
また、電源投入時にＲＷＭクリアスイッチ４０ｄがオン状態に操作されたと判定しない場合（電源投入時にＲＷＭクリアスイッチ４０ｄがオフ状態に操作されたと判定した場合）、主制御ＣＰＵ４０ａは、復帰処理を行う。復帰処理において、主制御ＣＰＵ４０ａは、バックアップされている各種情報が正常であるかを確認する。バックアップされている各種情報が正常であるか、異常であるかの確認は、例えばバックアップフラグの状態確認とチェックサムの一致確認によって行われる。バックアップされている各種情報が異常である場合、主制御ＣＰＵ４０ａは、主制御ＲＡＭ４０ｃのＲＷＭクリア処理を行う。バックアップされている各種情報が正常である場合、主制御ＣＰＵ４０ａは、主制御ＲＡＭ４０ｃのＲＷＭクリア処理を行わない。
【０１１２】
復帰処理を行った後、主制御ＣＰＵ４０ａは、電源投入時に設定器４０ｅがオン状態に操作されたかを判定する。主制御ＣＰＵ４０ａは、設定器４０ｅがオン状態に操作されたときに出力される操作信号を入力した場合に、設定器４０ｅがオン状態に操作されたと判定する。
【０１１３】
電源投入時に設定器４０ｅがオン状態に操作されたと判定していない場合（電源投入時に設定器４０ｅがオフ状態に操作されたと判定した場合）、主制御ＣＰＵ４０ａは、主制御ＲＡＭ４０ｃに割り当てられた主設定値フラグに記憶されている設定値を読み出すとともに、読み出した設定値を特定可能な設定値コマンドを副制御基板４１に出力する。この設定値コマンドにより特定される設定値は、電源断がされたときの設定値であり、バックアップされていた設定値でもある。
【０１１４】
主制御ＣＰＵ４０ａは、設定値コマンドを副制御基板４１に出力すると、電源投入復電時コマンド及び図柄状態指定コマンドを副制御基板４１に出力する。主制御ＣＰＵ４０ａは、電源投入復電時コマンド及び図柄状態指定コマンドを副制御基板４１に出力すると、電源投入処理を終了する。
【０１１５】
その一方で、電源投入時に設定器４０ｅがオン状態に操作されたと判定した場合、主制御ＣＰＵ４０ａは、設定確認制御処理を行う。設定確認制御処理において、主制御ＣＰＵ４０ａは、設定確認モードへ移行する。主制御ＣＰＵ４０ａは、設定確認モードへ移行すると、設定確認モードの開始を特定可能な情報（以下、「確認開始コマンド」と示す）を副制御基板４１に出力する。
【０１１６】
また、主制御ＣＰＵ４０ａは、設定確認モードへ移行すると、主制御ＲＡＭ４０ｃに割り当てられた主設定値フラグに記憶されている設定値を読み出すとともに、読み出した設定値を報知する表示を行うように表示器４０ｆを制御する。即ち、表示器４０ｆでは、電源断がされたときの設定値が報知される。設定確認モードにおいて、主制御ＣＰＵ４０ａは、ＲＷＭクリアスイッチ４０ｄが操作されても、設定値を変更せず、表示器４０ｆの表示内容も変化させない。
【０１１７】
主制御ＣＰＵ４０ａは、設定確認モードにおいて、設定器４０ｅがオフ状態に操作されると（設定器４０ｅがオン状態に操作されたときに出力される操作信号が入力されなくなると）、設定確認モードを終了する。その後、主制御ＣＰＵ４０ａは、設定確認制御処理を終了する。
【０１１８】
主制御ＣＰＵ４０ａは、設定確認制御処理を終了すると、主制御ＲＡＭ４０ｃに割り当てられた主設定値フラグに記憶されている設定値を特定可能な設定値コマンドを副制御基板４１に出力する。前述したように、設定確認モードにおいては設定値が変更されないため、主設定値フラグに記憶されている設定値は、電源投入されたときの設定値であり、電源断がされたときの設定値でもある。また、主制御ＣＰＵ４０ａは、設定確認モードの終了を特定可能な情報（以下、「確認終了コマンド」と示す）を副制御基板４１に出力する。
【０１１９】
その後、主制御ＣＰＵ４０ａは、バックアップされている各種情報に基づく復帰を指定する情報（以下、「電源投入復電時コマンド」と示す）を副制御基板４１に出力する。また、主制御ＣＰＵ４０ａは、復帰時（電断時でもある）の制御状態を指定する情報（以下、「図柄状態指定コマンド」と示す）を副制御基板４１に出力する。この図柄状態指定コマンドは、第１特別ゲームの実行中への復帰を行うこと、第２特別ゲームの実行中への復帰を行うこと、第１特別ゲームに基づく大当り遊技中への復帰を行うこと、及び第２特別ゲームに基づく大当り遊技中への復帰を行うことの何れかを指定するコマンドである。主制御ＣＰＵ４０ａは、電源投入復電時コマンド及び図柄状態指定コマンドを副制御基板４１に出力すると、電源投入処理を終了する。
【０１２０】
以上のようにして、主制御ＣＰＵ４０ａは、ＲＷＭクリアスイッチ４０ｄがオン状態に操作され、且つ設定器４０ｅがオン状態に操作された場合、電源投入処理において、主制御ＲＡＭ４０ｃのＲＷＭクリア処理、及び設定変更制御処理を行う。その一方で、主制御ＣＰＵ４０ａは、ＲＷＭクリアスイッチ４０ｄがオン状態に操作され、且つ設定器４０ｅがオフ状態に操作された場合、電源投入処理において、主制御ＲＡＭ４０ｃのＲＷＭクリア処理を行い、設定変更制御処理を行わない。
【０１２１】
また、主制御ＣＰＵ４０ａは、ＲＷＭクリアスイッチ４０ｄがオフ状態に操作され、且つ設定器４０ｅがオン状態に操作された場合、電源投入処理において、復帰処理、及び設定確認制御処理を行う。その一方で、主制御ＣＰＵ４０ａは、ＲＷＭクリアスイッチ４０ｄがオフ状態に操作され、且つ設定器４０ｅがオフ状態に操作された場合、電源投入処理において、復帰処理を行い、設定確認制御処理を行わない。
【０１２２】
以上説明したように、本実施形態において、上述した電源投入処理を行う主制御ＣＰＵ４０ａは、大当り確率を定めた複数の設定値のうち何れかの設定値を設定する設定制御手段に相当する。また、本実施形態において、大当り確率が、大当り遊技に関する有利度合いに相当する。
【０１２３】
次に、電源投入処理が行われた後、主制御ＣＰＵ４０ａが行う各種の処理について説明する。主制御ＣＰＵ４０ａは、所定の制御周期（例えば４ｍｓ）毎に行う割り込み処理として、特別図柄入力処理、及び特別図柄開始処理などを行う。本実施形態において、出力バッファに設定された情報は、割り込み処理として行われるコマンド出力処理によって副制御基板４１へ出力される。
【０１２４】
特別図柄入力処理において、主制御ＣＰＵ４０ａは、第１始動センサＳＥ１から検知信号を入力したか否かに基づいて、第１始動口２８に遊技球が入球したか否かを判定する。
第１始動口２８に遊技球が入球した場合、主制御ＣＰＵ４０ａは、主制御ＲＡＭ４０ｃに記憶されている第１特別保留数が上限数（本実施形態では「４」）未満であるか否かを判定する。
【０１２５】
第１特別保留数が上限数未満である場合、主制御ＣＰＵ４０ａは、主制御ＲＡＭ４０ｃに記憶されている第１特別保留数を「１」加算して更新する。これにより、第１特別ゲームの保留条件（第１保留条件）が成立する。この処理において、主制御ＣＰＵ４０ａは、更新後の第１特別保留数を表示するように、情報表示装置２２を制御する。また、主制御ＣＰＵ４０ａは、更新後の第１特別保留数を特定可能な情報（以下、第１保留数コマンドと示す）を出力バッファに設定する。出力バッファに設定された情報（制御コマンド）は、次回以降の割り込み処理において副制御基板４１へと出力される。
【０１２６】
次に、主制御ＣＰＵ４０ａは、主制御基板４０内で生成している乱数を取得し、取得した乱数に基づく乱数情報を主制御ＲＡＭ４０ｃに記憶させる。例えば、乱数は、大当り抽選に用いる乱数、大当り図柄の決定に用いる乱数、リーチ抽選に用いる乱数、変動パターンの決定に用いる乱数などである。この処理において、主制御ＣＰＵ４０ａは、第１特別ゲーム用の乱数情報であること、及び乱数情報の記憶順序が特定可能となるように、乱数情報を記憶させる。本実施形態では、第１特別ゲーム用の乱数情報を主制御ＲＡＭ４０ｃに記憶させておくことで、該第１特別ゲームの実行条件が成立するまで、その実行を保留することができる。なお、乱数情報は、取得した乱数そのものであってもよく、乱数を所定の手法により加工した情報であってもよい。
【０１２７】
第１特別保留数が上限数未満でない場合、主制御ＣＰＵ４０ａは、第１特別保留数が上限数未満である場合に実行される上記処理を実行しない。このように、第１保留条件は、第１特別保留数（第１変動ゲームの実行が保留されている保留ゲーム数）が予め定めた上限数（上限ゲーム数、第１上限ゲーム数）に達しているときには成立しない条件である。また、主制御ＣＰＵ４０ａは、第１特別保留数が予め定めた上限数に達しているときには、第１特別保留数が上限数に達しているときに第１始動口２８に遊技球が入球したことを特定可能な情報（以下、第１始動入賞コマンドと示す）を出力バッファに設定する。
【０１２８】
第１始動口２８に遊技球が入球していない場合、第１特別保留数が上限数未満ではない場合、及び第１特別ゲーム用の乱数情報を主制御ＲＡＭ４０ｃに記憶させた場合、主制御ＣＰＵ４０ａは、第２始動センサＳＥ２から検知信号を入力したか否かに基づいて、第２始動口２９に遊技球が入球したか否かを判定する。第２始動口２９に遊技球が入球していない場合、主制御ＣＰＵ４０ａは、特別図柄入力処理を終了する。
【０１２９】
第２始動口２９に遊技球が入球した場合、主制御ＣＰＵ４０ａは、主制御ＲＡＭ４０ｃに記憶されている第２特別保留数が上限数（本実施形態では「４」）未満であるか否かを判定する。第２特別保留数が上限数未満でない場合、主制御ＣＰＵ４０ａは、第２特別保留数が上限数に達しているときに第２始動口２９に遊技球が入球したことを特定可能な情報（以下、第２始動入賞コマンドと示す）を出力バッファに設定し、特別図柄入力処理を終了する。このように、第２保留条件は、第２特別保留数（第２変動ゲームの実行が保留されている保留ゲーム数）が予め定めた上限数（上限ゲーム数、第２上限ゲーム数）に達しているときには成立しない条件である。
【０１３０】
第２特別保留数が上限数未満である場合、主制御ＣＰＵ４０ａは、主制御ＲＡＭ４０ｃに記憶されている第２特別保留数を「１」加算して更新する。これにより、第２特別ゲームの保留条件（第２保留条件）が成立する。この処理において、主制御ＣＰＵ４０ａは、更新後の第２特別保留数を表示するように、情報表示装置２２を制御する。また、主制御ＣＰＵ４０ａは、更新後の第２特別保留数を特定可能な情報（以下、第２保留数コマンドと示す）を出力バッファに設定する。
【０１３１】
次に、主制御ＣＰＵ４０ａは、主制御基板４０内で生成している乱数を取得し、取得した乱数に基づく乱数情報を主制御ＲＡＭ４０ｃに記憶させる。この処理において、主制御ＣＰＵ４０ａは、第２特別ゲーム用の乱数情報であること、及び乱数情報の記憶順序が特定可能となるように、乱数情報を記憶させる。本実施形態では、第２特別ゲーム用の乱数情報を主制御ＲＡＭ４０ｃに記憶させておくことで、該第２特別ゲームの実行条件が成立するまで、その実行を保留することができる。
【０１３２】
次に、主制御ＣＰＵ４０ａが行う特別図柄開始処理について説明する。特別図柄開始処理は、割り込み処理として行われる。
特別図柄開始処理において、主制御ＣＰＵ４０ａは、特別ゲームの実行条件が成立しているか否かを判定する。主制御ＣＰＵ４０ａは、大当り遊技中ではなく、且つ特別ゲーム中ではない場合に肯定判定する一方で、大当り遊技中、又は特別ゲーム中である場合に否定判定する。特別ゲームの実行条件が成立していない場合、主制御ＣＰＵ４０ａは、特別図柄開始処理を終了する。
【０１３３】
その一方で、特別ゲームの実行条件が成立している場合、主制御ＣＰＵ４０ａは、主制御ＲＡＭ４０ｃに記憶されている第２特別保留数が「１」以上であるか否かを判定する。第２特別保留数が「１」以上である場合、主制御ＣＰＵ４０ａは、第２特別ゲームを開始させるように所定の処理を行う。一方、第２特別保留数が「１」以上でない場合、主制御ＣＰＵ４０ａは、主制御ＲＡＭ４０ｃに記憶されている第１特別保留数が「１」以上であるか否かを判定する。第１特別保留数が「１」以上である場合、主制御ＣＰＵ４０ａは、第１特別ゲームを開始させるように所定の処理を行う。一方、第１特別保留数が「１」以上でない場合、主制御ＣＰＵ４０ａは、特別図柄開始処理を終了する。このように、主制御ＣＰＵ４０ａは、第１特別ゲームよりも第２特別ゲームを優先して実行させる。
【０１３４】
第１特別ゲームを開始させる場合、主制御ＣＰＵ４０ａは、主制御ＲＡＭ４０ｃに記憶されている第１特別保留数を「１」減算して更新する。この処理において、主制御ＣＰＵ４０ａは、更新後の第１特別保留数が表示されるように、情報表示装置２２を制御する。次に、主制御ＣＰＵ４０ａは、第１特別ゲーム用の乱数情報のうち、最先に記憶された乱数情報を主制御ＲＡＭ４０ｃから読み出す。なお、主制御ＣＰＵ４０ａは、最先に記憶された乱数情報を読み出すと、該乱数情報を主制御ＲＡＭ４０ｃから消去する。
【０１３５】
次に、主制御ＣＰＵ４０ａは、読み出した乱数情報と、主制御ＲＡＭ４０ｃに割り当てられた主設定値フラグに記憶されている設定値と、主制御ＲＯＭ４０ｂに記憶されている大当り判定値とに基づいて、大当りに当選するか否かを判定する。本実施形態においては、例えば、各設定値（第１〜第６設定値）と各確率状態（高確率状態及び低確率状態）とに対応する大当り判定値が特定可能となるように、主制御ＲＯＭ４０ｂに大当り判定値が記憶されている。そして、大当りに当選するか否かの判定は、乱数情報から特定される乱数の値と、現在の設定値及び現在の確率状態に対応する大当り判定値とが一致するか否かにより判定される。なお、大当りに当選するか否かの判定は、乱数情報から特定される乱数の値と大当り判定値とを加算した値が、所定値を超えているか否かにより判定してもよい。
【０１３６】
大当りに当選する場合、主制御ＣＰＵ４０ａは、第１特別ゲームで導出される大当り図柄と、第１特別ゲームの変動パターンとを決定する。例えば、主制御ＣＰＵ４０ａは、読み出した第１特別ゲーム用の乱数情報を用いた抽選により、第１特別ゲームで導出される大当り図柄と、第１特別ゲームの変動パターンとを決定する。第１特別ゲームで導出される大当り図柄を決定すると、主制御ＣＰＵ４０ａは、決定した大当り図柄を特定可能な情報（以下、図柄コマンドと示す）を出力バッファに設定する。第１特別ゲームの変動パターンを決定すると、主制御ＣＰＵ４０ａは、決定した変動パターンを特定可能であって、該変動パターンに基づく演出ゲームの開始を指示する情報（以下、ゲーム開始コマンドと示す）を出力バッファに設定する。図柄コマンド及び第１ゲーム開始コマンドを出力バッファに設定した後、主制御ＣＰＵ４０ａは、特別図柄開始処理を終了する。
【０１３７】
一方、大当りに当選しないはずれの場合、主制御ＣＰＵ４０ａは、はずれ図柄を第１特別図柄表示部２２ａにて確定停止表示される最終停止図柄として決定する。次に、主制御ＣＰＵ４０ａは、読み出した変動パターンの決定に用いる乱数の値に基づき、はずれリーチ変動パターン及びはずれ変動パターンの中から変動パターンを決定する。
【０１３８】
変動パターン及び最終停止図柄を決定した主制御ＣＰＵ４０ａは、大当りの場合と同じように、図柄コマンド及び第１ゲーム開始コマンドを出力バッファに設定した後、主制御ＣＰＵ４０ａは、特別図柄開始処理を終了する。
【０１３９】
第２特別ゲームを開始させる場合、主制御ＣＰＵ４０ａは、前述した第１特別ゲームを開始させる場合の制御と同様の制御を行う。つまり、主制御ＣＰＵ４０ａは、第２特別保留数の減算、大当り抽選（大当り判定）、大当り抽選（大当り判定）の結果に基づく大当り図柄又ははずれ図柄の決定、大当り抽選（大当り判定）の結果に基づく変動パターンの決定、及び図柄コマンドとゲーム開始コマンドとの設定を行う。その後、主制御ＣＰＵ４０ａは、特別図柄開始処理を終了する。
【０１４０】
そして、特別図柄開始処理を終了すると、主制御ＣＰＵ４０ａは、特別図柄開始処理とは別の処理を行うことによって、特別ゲームを実行させる。具体的に、主制御ＣＰＵ４０ａは、特別ゲームが開始されるように、情報表示装置２２を制御する。主制御ＣＰＵ４０ａは、特別図柄開始処理において決定した変動パターンに定められた変動時間を計測する。そして、主制御ＣＰＵ４０ａは、変動パターンに定められた変動時間が経過すると、特別図柄開始処理において決定した特別図柄が導出されるように、情報表示装置２２を制御する。また、主制御ＣＰＵ４０ａは、特別図柄開始処理において決定した変動パターンに定められた変動時間が経過すると、演出図柄の変動停止を指示し、演出図柄による図柄組み合わせを導出させるための情報（以下、ゲーム終了コマンドと示す）を出力バッファに設定する。
【０１４１】
このように、主制御ＣＰＵ４０ａは、第１特別ゲームと第２特別ゲームとに関する制御を行うことができる。特に、第１始動口２８に遊技球が入球した場合に、第１特別ゲームが実行可能であり、第２始動口２９に遊技球が入球した場合に、第２特別ゲームが実行可能である。
【０１４２】
次に、主制御ＣＰＵ４０ａが行う大当り処理について説明する。
大当り処理において、主制御ＣＰＵ４０ａは、特別図柄開始処理で決定した大当り図柄（大当りの種類）に基づく大当り遊技を付与する制御を行う。即ち、主制御ＣＰＵ４０ａは、大当り処理を実行することにより、大当り遊技を付与する。
【０１４３】
主制御ＣＰＵ４０ａは、大当りの特別ゲームが終了すると、最初にオープニング時間の開始を特定可能な情報（以下、オープニングコマンドと示す）を出力バッファに設定する。主制御ＣＰＵ４０ａは、オープニング時間が経過すると、ラウンド遊技を実行させるための処理を行う。具体的に、主制御ＣＰＵ４０ａは、大当り図柄（大当りの種類）により決定される開放パターンに基づいて大入賞口３１が開放されるように、特別アクチュエータＡ２を制御し、ラウンド遊技を開始させる。主制御ＣＰＵ４０ａは、ラウンド遊技を開始させた後、第１終了条件又は第２終了条件が成立すると、大入賞口３１が閉鎖されるように特別アクチュエータＡ２を制御し、ラウンド遊技を終了させる。主制御ＣＰＵ４０ａは、このようなラウンド遊技を実行させるための処理を、規定回数のラウンド遊技が終了するまで繰り返し行う。
【０１４４】
また、主制御ＣＰＵ４０ａは、ラウンド遊技を開始するごとに、ラウンド遊技の開始を特定可能な情報（以下、ラウンドコマンドと示す）を出力バッファに設定する。また、主制御ＣＰＵ４０ａは、ラウンド遊技を終了するごとに、ラウンド遊技の終了を特定可能な情報（以下、ラウンド終了コマンドと示す）を出力バッファに設定する。また、主制御ＣＰＵ４０ａは、特別入賞センサＳＥ３からの検知信号が入力されると、大入賞口３１に遊技球が入球したことを特定可能な情報（以下、大入賞コマンドと示す）を出力バッファに設定する。
【０１４５】
特に、主制御ＣＰＵ４０ａは、複数回のラウンド遊技のうち、振分部材３８を第２振分状態から第１振分状態に動作させる作動ラウンド遊技において、大当り図柄（大当りの種類）に定められた振分制御情報に基づいて、振分アクチュエータＡ３を制御し、振分部材３８の動作を制御する。
【０１４６】
具体的に、主制御ＣＰＵ４０ａは、特別入賞センサＳＥ３からの検知信号に基づいて、作動ラウンド遊技において大入賞口３１に入球した遊技球の入球数を計数する。なお、本実施形態において、主制御ＣＰＵ４０ａは、特別入賞センサＳＥ３からの検知信号に基づいて、作動ラウンド遊技だけではなく非作動ラウンド遊技においても大入賞口３１に入球した遊技球の入球数を計数している。
【０１４７】
主制御ＣＰＵ４０ａは、大当り図柄（大当りの種類）に定められた振分制御情報を参照して、大入賞口３１に入球した遊技球の入球数が、短振分制御の開始条件が成立する入球数であると判定した場合、短振分制御の開始条件が成立し、短振分制御を開始する。そして、主制御ＣＰＵ４０ａは、短振分制御の終了条件が成立するまで短振分制御を行い、短振分制御の終了条件が成立すると、振分部材３８を第１振分状態から第２振分状態に動作させて短振分制御を終了する。つまり、主制御ＣＰＵ４０ａは、作動ラウンド遊技において、大入賞口３１に入球したと検知された遊技球の数が、短振分制御の開始条件が成立する入球数（本実施形態では「１」）となったことを契機として、短振分制御に基づく振分態様で振分部材３８を動作させることができる。
【０１４８】
主制御ＣＰＵ４０ａは、大当り図柄（大当りの種類）に定められた振分制御情報を参照して、大入賞口３１に入球した遊技球の入球数が、長振分制御の開始条件が成立する入球数であると判定した場合、長振分制御の開始条件が成立し、長振分制御を開始する。そして、主制御ＣＰＵ４０ａは、長振分制御の終了条件が成立するまで長振分制御を行い、長振分制御の終了条件が成立すると、振分部材３８を第１振分状態から第２振分状態に動作させて長振分制御を終了する。つまり、主制御ＣＰＵ４０ａは、作動ラウンド遊技において、大入賞口３１に入球したと検知された遊技球の数が、長振分制御の開始条件が成立する入球数（本実施形態では「２」、「５」）となったことを契機として、長振分制御に基づく振分態様で振分部材３８を動作させることができる。
【０１４９】
このように、主制御ＣＰＵ４０ａは、振分部材３８の動作を制御する。特に、主制御ＣＰＵ４０ａは、作動ラウンド遊技において、大入賞口３１に入球したと検知された遊技球の数が「１」、「２」、「５」のうち何れかとなったことを契機として、第１振分状態を取るように振分部材３８を動作させることができる。本実施形態において、このような処理を実行する主制御ＣＰＵ４０ａが振分制御手段に相当する。
【０１５０】
主制御ＣＰＵ４０ａは、大当り遊技中に特殊通過領域３６を遊技球が通過した場合、特殊通過領域３６への遊技球の通過を示す情報と、各ラウンド遊技中において特殊通過領域３６への遊技球の通過数を示す情報とを主制御ＲＡＭ４０ｃに記憶させる。また、主制御ＣＰＵ４０ａは、大当り遊技中に特殊通過領域３６を遊技球が通過した場合、特殊通過領域３６への遊技球の通過を特定可能な情報（以下、特殊通過コマンドと示す）を出力バッファに設定する。
【０１５１】
主制御ＣＰＵ４０ａは、大当り遊技中に通常通過領域３７を遊技球が通過した場合、各ラウンド遊技中において通常通過領域３７への遊技球の通過数を示す情報を主制御ＲＡＭ４０ｃに記憶させる。また、主制御ＣＰＵ４０ａは、大当り遊技中に通常通過領域３７を遊技球が通過した場合、通常通過領域３７への遊技球の通過を特定可能な情報（以下、通常通過コマンドと示す）を出力バッファに設定する。
【０１５２】
主制御ＣＰＵ４０ａは、最終回のラウンド遊技が終了すると、エンディング時間の開始を特定可能な情報（以下、エンディングコマンドと示す）を出力バッファに設定する。主制御ＣＰＵ４０ａは、エンディング時間が経過すると、大当り遊技を終了する。
【０１５３】
次に、主制御ＣＰＵ４０ａが行う遊技状態処理について説明する。
主制御ＣＰＵ４０ａは、大当り遊技中に特殊通過領域３６を遊技球が通過した場合、大当り遊技を終了するときに、高確率状態に制御することを特定可能な値を、主制御ＲＡＭ４０ｃに記憶されている主確率状態フラグに設定する。この場合、主制御ＣＰＵ４０ａは、転落抽選に当選する迄の間、高確率状態となるように、遊技状態を制御する。また、主制御ＣＰＵ４０ａは、大当り遊技中に特殊通過領域３６を遊技球が通過した場合、大当り遊技を終了するときに、高ベース状態に制御することを特定可能な値を、主制御ＲＡＭ４０ｃに記憶されている主ベース状態フラグに設定する。この場合、主制御ＣＰＵ４０ａは、次回の大当り遊技が開始される迄の間、高確率状態、且つ高ベース状態となるように、遊技状態を制御する。
【０１５４】
主制御ＣＰＵ４０ａは、大当り遊技中に特殊通過領域３６を遊技球が通過しなかった場合、大当り遊技を終了するときに、低確率状態に制御することを特定可能な値を、主制御ＲＡＭ４０ｃに記憶されている主確率状態フラグに設定する。また、主制御ＣＰＵ４０ａは、大当り遊技中に特殊通過領域３６を遊技球が通過しなかった場合、大当り遊技を終了するときに、高ベース状態に制御することを特定可能な値を、主制御ＲＡＭ４０ｃに記憶されている主ベース状態フラグに設定する。この場合、主制御ＣＰＵ４０ａは、上限回数を定めた高ベース状態を付与することから、上記上限回数に相当する回数（本実施形態では１００回）を、高ベース状態を付与する特別ゲームの残り回数として主制御ＲＡＭ４０ｃに記憶させる。
【０１５５】
そして、主制御ＣＰＵ４０ａは、特別ゲームが実行される毎に、主制御ＲＡＭ４０ｃに記憶されている残り回数を「１」減算する。主制御ＣＰＵ４０ａは、残り回数が「０」となった場合、低ベース状態に制御することを特定可能な値を主ベース状態フラグに設定する。即ち、主制御ＣＰＵ４０ａは、低確率状態である場合に、上限回数の特別ゲームの終了に伴って、高ベース状態を終了させ、低ベース状態へ移行させる。
【０１５６】
主制御ＣＰＵ４０ａは、大当り遊技を付与する場合、大当り遊技を開始するときに、低確率状態に制御することを特定可能な値を主確率状態フラグに設定する。また、主制御ＣＰＵ４０ａは、大当り遊技を付与する場合、大当り遊技を開始するときに、低ベース状態に制御することを特定可能な値を主ベース状態フラグに設定する。
【０１５７】
このように、本実施形態において、主制御ＣＰＵ４０ａは、大当り遊技中に特殊通過領域３６を遊技球が通過したときには、大当り遊技の終了後に高確率状態に制御する一方で、大当り遊技中に特殊通過領域３６を遊技球が通過しなかったときには、大当り遊技の終了後に低確率状態に制御する。また、主制御ＣＰＵ４０ａは、大当り遊技の終了後に高ベース状態を付与する。
【０１５８】
主制御ＣＰＵ４０ａは、低確率状態に制御することを特定可能な値を主確率状態フラグに設定すると、低確率状態コマンドを出力バッファに設定する。その一方で、主制御ＣＰＵ４０ａは、高確率状態に制御することを特定可能な値を主確率状態フラグに設定すると、高確率状態であることを特定可能な情報（以下、高確率状態コマンドと示す）を出力バッファに設定する。
【０１５９】
主制御ＣＰＵ４０ａは、低ベース状態に制御することを特定可能な値を主ベース状態フラグに設定すると、低ベース状態コマンドを出力バッファに設定する。その一方で、主制御ＣＰＵ４０ａは、高ベース状態に制御することを特定可能な値を主ベース状態フラグに設定すると、高ベース状態であることを特定可能な情報（以下、高ベース状態コマンドと示す）を出力バッファに設定する。
【０１６０】
このように、主制御ＣＰＵ４０ａは、大当り遊技の終了後に遊技状態を制御する。本実施形態において、このような処理を実行する主制御ＣＰＵ４０ａが遊技状態制御手段に相当する。特に、主制御ＣＰＵ４０ａは、大当り遊技における特殊通過領域３６への遊技球の通過に応じて、大当り遊技の終了後に高確率状態を特典として付与する。本実施形態において、このような処理を実行する主制御ＣＰＵ４０ａが特典付与制御手段に相当する。
【０１６１】
次に、主制御ＣＰＵ４０ａが行う普通図柄入力処理について説明する。普通図柄入力処理は、割り込み処理として行われる。
普通図柄入力処理において、主制御ＣＰＵ４０ａは、ゲートセンサＳＥ４から検知信号を入力したか否かに基づいて、ゲート３３を遊技球が通過（入球）したか否かを判定する。ゲート３３を遊技球が通過していない場合、主制御ＣＰＵ４０ａは、普通図柄入力処理を終了する。その一方で、ゲート３３を遊技球が通過した場合、主制御ＣＰＵ４０ａは、主制御ＲＡＭ４０ｃに記憶されている普通保留数が上限数（本実施形態では「４」）未満であるか否かを判定する。普通保留数が上限数未満ではない場合、主制御ＣＰＵ４０ａは、普通図柄入力処理を終了する。つまり、普通保留数（普通変動ゲームの実行が保留されている普通保留ゲーム数）が予め定めた上限数（普通上限ゲーム数）に達しているときには、ゲート３３に遊技球が入球した場合であっても、普通ゲームの保留条件（普通保留条件）が成立せず、普通変動ゲームの実行が保留されない。普通保留数が上限数未満でない場合、主制御ＣＰＵ４０ａは、普通保留数が上限数に達しているときにゲート３３に遊技球が入球したことを特定可能な情報（以下、普通始動入賞コマンドと示す）を出力バッファに設定する。
【０１６２】
普通保留数が上限数未満である場合、主制御ＣＰＵ４０ａは、主制御ＲＡＭ４０ｃに記憶されている普通保留数を「１」加算して更新する。これにより、普通ゲームの保留条件が成立する。ゲート３３に遊技球が入球した場合において普通保留数が予め定めた上限数に達していないときには、普通ゲームの保留条件が成立し、普通変動ゲームの実行が保留される。また、主制御ＣＰＵ４０ａは、更新後の普通保留数を表示するように、情報表示装置２２を制御する。また、主制御ＣＰＵ４０ａは、更新後の普通保留数を特定可能な情報（以下、普通保留数コマンドと示す）を出力バッファに設定する。
【０１６３】
次に、主制御ＣＰＵ４０ａは、主制御基板４０内で生成している乱数を取得し、取得した乱数に基づく乱数情報を主制御ＲＡＭ４０ｃに記憶させる。例えば、乱数は、普通図柄の当り抽選に用いる乱数、及び普通ゲームの変動時間の決定に用いる乱数などである。この場合、主制御ＣＰＵ４０ａは、普通ゲーム用の乱数情報であること、及び乱数情報の記憶順序が特定可能となるように記憶させる。本実施形態では、普通ゲーム用の乱数情報を主制御ＲＡＭ４０ｃに記憶させておくことで、該普通ゲームの実行条件が成立するまで、その実行を保留することができる。その後、主制御ＣＰＵ４０ａは、普通図柄入力処理を終了する。
【０１６４】
次に、主制御ＣＰＵ４０ａが行う普通図柄開始処理について説明する。普通図柄開始処理は、割り込み処理として行われる。
普通図柄開始処理において、主制御ＣＰＵ４０ａは、普通ゲームの実行条件が成立しているか否かを判定する。主制御ＣＰＵ４０ａは、普通当り遊技中ではなく、且つ普通ゲーム中ではない場合に肯定判定する一方で、普通当り遊技中、又は普通ゲーム中である場合に否定判定する。普通ゲームの実行条件が成立していない場合、主制御ＣＰＵ４０ａは、普通図柄開始処理を終了する。
【０１６５】
その一方で、普通ゲームの実行条件が成立している場合、主制御ＣＰＵ４０ａは、主制御ＲＡＭ４０ｃに記憶されている普通保留数が「１」以上であるか否かを判定する。普通保留数が「１」以上ではない場合（零（０）である場合）、主制御ＣＰＵ４０ａは、普通図柄開始処理を終了する。普通保留数が「１」以上である場合、主制御ＣＰＵ４０ａは、主制御ＲＡＭ４０ｃに記憶されている普通保留数を「１」減算して更新する。また、主制御ＣＰＵ４０ａは、更新後の普通保留数が表示されるように、情報表示装置２２を制御する。次に、主制御ＣＰＵ４０ａは、普通ゲーム用の乱数情報のうち、最先に記憶された乱数情報を主制御ＲＡＭ４０ｃから読み出す。なお、主制御ＣＰＵ４０ａは、最先に記憶された乱数情報を読み出すと、該乱数情報を主制御ＲＡＭ４０ｃから消去する。
【０１６６】
次に、主制御ＣＰＵ４０ａは、読み出した乱数情報と、主制御ＲＯＭ４０ｂに記憶されている普通当り判定値とに基づいて、普通当りに当選するか否かを判定する。普通当りに当選する場合、主制御ＣＰＵ４０ａは、普通ゲームで導出させる普通当り図柄と、普通ゲームの変動時間とを決定する。例えば、上述した普通図柄の変動時間短縮制御を採用する場合、主制御ＣＰＵ４０ａは、低ベース状態においては第１変動時間を決定し、高ベース状態においては第１変動時間よりも短い第２変動時間を決定する。主制御ＣＰＵ４０ａは、普通ゲームの変動時間を決定すると、該決定した変動時間を特定可能な情報（以下、普通開始コマンドと示す）を出力バッファに設定する。なお、普通開始コマンドは、普通図柄の当り抽選の結果を特定可能な情報であってもよい。その後、主制御ＣＰＵ４０ａは、普通図柄開始処理を終了する。
【０１６７】
普通当りに当選しない場合、主制御ＣＰＵ４０ａは、普通ゲームで導出させる普通はずれ図柄と、普通ゲームの変動時間とを決定する。主制御ＣＰＵ４０ａは、普通ゲームの変動時間を決定すると、該決定した変動時間を特定可能な普通開始コマンドを出力バッファに設定する。その後、主制御ＣＰＵ４０ａは、普通図柄開始処理を終了する。
【０１６８】
そして、主制御ＣＰＵ４０ａは、普通図柄開始処理とは別の処理を行うことによって、普通ゲームを実行させる。具体的に、主制御ＣＰＵ４０ａは、普通ゲームを開始させるとともに、普通図柄開始処理において決定した変動時間が経過したときに、普通図柄開始処理において決定した普通図柄が導出されるように、情報表示装置２２を制御する。
【０１６９】
次に、主制御ＣＰＵ４０ａが行う普通当り処理について説明する。
普通当りに当選した場合、主制御ＣＰＵ４０ａは、第２始動口２９の開放パターン（普通可変部材３０の動作パターン）を決定するとともに、該決定した開放パターンに基づいて第２始動口２９が開放されるように、普通アクチュエータＡ１を制御する。例えば、上述した開放時間延長制御を採用する場合、主制御ＣＰＵ４０ａは、低ベース状態においては第１開放パターンを決定し、高ベース状態においては、第１開放パターンよりも１回の普通当り遊技における普通可変部材３０の合計開放時間が長い第２開放パターンを決定する。
【０１７０】
次に、副制御ＣＰＵ４１ａが行う各種の処理について説明する。
最初に、副制御ＣＰＵ４１ａは、電源の投入（供給）に伴い、電源投入時に必要な各種設定（初期設定）を行う。各種設定が終了した後、副制御ＣＰＵ４１ａは、主制御ＣＰＵ４０ａから各種コマンドの入力を待ち受けする。本実施形態において、副制御ＣＰＵ４１ａは、主制御ＣＰＵ４０ａよりも早く起動するようになっており、主制御ＣＰＵ４０ａから各種コマンドが入力されるときに、副制御ＣＰＵ４１ａは、待ち受けできるようになっている。
【０１７１】
副制御ＣＰＵ４１ａは、設定値コマンドを入力すると、設定値コマンドから設定値を特定し、特定した設定値を、副制御ＲＡＭ４１ｃに割り当てられた副設定値フラグに記憶させる。この副設定値フラグは、設定されている設定値を副制御ＣＰＵ４１ａが特定するためのフラグである。
【０１７２】
副制御ＣＰＵ４１ａは、電源投入初期時コマンドを入力すると、副制御ＲＯＭ４１ｂから初期状態の演出内容を示す情報を読み出し、初期状態の演出内容で演出を実行させるように制御する。一方、副制御ＣＰＵ４１ａは、電源投入復電時コマンドを入力すると、電源投入復電時コマンドとともに入力された図柄状態指定コマンドなどに基づいて、復帰前の状態の演出内容で演出を実行させるように制御する。
【０１７３】
そして、初期状態又は復帰前の状態の演出内容から演出を実行させた場合、主制御ＣＰＵ４０ａから所定の制御コマンドを所定のタイミングで入力すると、副制御ＣＰＵ４１ａは、それに応じて各種処理を行うこととなる。
【０１７４】
ここで、主制御ＣＰＵ４０ａから所定の制御コマンドを所定のタイミングで入力したときに、副制御ＣＰＵ４１ａが行う各種処理の一例について以下に説明する。
副制御ＣＰＵ４１ａが行う演出ゲーム処理について説明する。
【０１７５】
副制御ＣＰＵ４１ａは、ゲーム開始コマンド及び図柄コマンドに基づいて、演出ゲームにおいて導出させる図柄組み合わせを決定する。副制御ＣＰＵ４１ａは、図柄コマンドから特定可能な特別図柄が大当り図柄である場合、演出図柄による大当りの図柄組み合わせを決定する。副制御ＣＰＵ４１ａは、図柄コマンドから特定可能な特別図柄がはずれ図柄である場合、演出図柄によるはずれの図柄組み合わせを決定する。
【０１７６】
また、副制御ＣＰＵ４１ａは、ゲーム開始コマンドに基づいて変動パターンを特定する。そして、副制御ＣＰＵ４１ａは、特定した変動パターンに基づいて、リーチ演出の実行条件が成立しており、演出ゲームにおいてリーチ演出を実行する場合には、リーチを含むはずれの図柄組み合わせ（例えば、「７８７」）を決定する。本実施形態では、リーチ演出の実行条件として、リーチ演出ありのはずれ変動パターンが決定されたことが定められている。なお、リーチ演出の実行条件として、副制御ＣＰＵ４１ａが所定のリーチ抽選を行い、該リーチ抽選に当選したことが定められていてもよい。
【０１７７】
また、副制御ＣＰＵ４１ａは、ゲーム開始コマンドの入力を契機として、各列において演出図柄を変動表示させるように、演出表示装置２７を制御する。即ち、副制御ＣＰＵ４１ａは、演出ゲームを開始させる。副制御ＣＰＵ４１ａは、演出ゲームを開始させてから、所定のタイミングが到来すると、決定した演出図柄による図柄組み合わせを一旦停止表示させるとともに、ゲーム終了コマンドの入力を契機に、決定した演出図柄による図柄組み合わせを導出させる。このように、演出表示装置２７は、特別ゲームの実行中に、変動パターンに基づく演出（リーチ演出）を実行することとなる。なお、副制御ＣＰＵ４１ａは、ゲーム終了コマンドとは関係なく、変動パターンから特定可能な変動時間を計時し、該変動時間の経過を契機に図柄組み合わせを導出させてもよい。この場合、ゲーム終了コマンドは省略してもよい。
【０１７８】
次に、副制御ＣＰＵ４１ａが行う大当り演出処理について説明する。
副制御ＣＰＵ４１ａは、オープニングコマンドを入力すると、オープニング演出が行われるように、演出表示装置２７を制御する。副制御ＣＰＵ４１ａは、ラウンドコマンドを入力すると、ラウンド演出が行われるように、演出表示装置２７を制御する。また、副制御ＣＰＵ４１ａは、ラウンド終了コマンドを入力すると、ラウンド演出を終了させる。副制御ＣＰＵ４１ａは、エンディングコマンドを入力すると、エンディング演出が行われるように、演出表示装置２７を制御する。このように、副制御ＣＰＵ４１ａは、大当り遊技中において、オープニング演出、ラウンド演出、エンディング演出を大当り演出として実行させることとなる。
【０１７９】
なお、本実施形態において、副制御ＣＰＵ４１ａは、各種演出が行われるように、演出表示装置２７に加えて、装飾ランプ１７及びスピーカ１８のうち少なくとも一方を制御してもよい。
【０１８０】
次に、副制御ＣＰＵ４１ａが行う遊技状態処理について説明する。
副制御ＣＰＵ４１ａは、低確率状態コマンドを入力すると、副制御ＲＡＭ４１ｃに記憶されている副確率状態フラグに、低確率状態であることを特定可能な値を設定する。副制御ＣＰＵ４１ａは、高確率状態コマンドを入力すると、副制御ＲＡＭ４１ｃに記憶されている副確率状態フラグに、高確率状態であることを特定可能な値を設定する。副制御ＣＰＵ４１ａは、副制御ＲＡＭ４１ｃに記憶されている副確率状態フラグを参照することにより、現在の遊技状態が低確率状態であるか、高確率状態であるかを特定できる。
【０１８１】
副制御ＣＰＵ４１ａは、低ベース状態コマンドを入力すると、副制御ＲＡＭ４１ｃに記憶されている副ベース状態フラグに、低ベース状態であることを特定可能な値を設定する。副制御ＣＰＵ４１ａは、高ベース状態コマンドを入力すると、副制御ＲＡＭ４１ｃに記憶されている副ベース状態フラグに、高ベース状態であることを特定可能な値を設定する。副制御ＣＰＵ４１ａは、副制御ＲＡＭ４１ｃに記憶されている副ベース状態フラグを参照することにより、現在の遊技状態が低ベース状態であるか、高ベース状態であるかを特定できる。
【０１８２】
本実施形態において、大当り遊技中に、大当りの種類に基づいて大当り演出が実行可能である。特に、低ベース状態において大当りとなったことに基づいて大当り遊技が付与された場合に、大当り遊技中に実行される大当り演出として、特殊通過領域３６への遊技球の通過についての特殊通過関連演出が実行可能である。特殊通過関連演出には、成功演出と、失敗演出と、復活演出とがある。
【０１８３】
成功演出は、作動ラウンド遊技で実行可能な演出であり、詳しくは、２回目のラウンド遊技で、大入賞口３１に入球した２球目までの遊技球が特殊通過領域３６を通過したときに実行が開始される演出である。つまり、成功演出は、作動ラウンド遊技で長振分制御が行われて、特殊通過領域３６を遊技球が通過したことに応じて、大当り遊技の終了後に高確率状態が付与されることが特定可能な演出である。
【０１８４】
失敗演出は、作動ラウンド遊技で実行可能な演出であり、詳しくは、２回目のラウンド遊技で、大入賞口３１に入球した２球目までの遊技球が特殊通過領域３６を通過しなかったときに実行が開始される演出である。つまり、失敗演出は、現時点において、作動ラウンド遊技で長振分制御が行わずに、特殊通過領域３６を遊技球が通過していないことが特定可能な演出であり、大当り遊技の終了後に高確率状態が付与されないことが示唆される演出である。
【０１８５】
復活演出は、作動ラウンド遊技で実行可能な演出であり、詳しくは、失敗演出が実行された後に、大入賞口３１に入球した遊技球が特殊通過領域３６を通過したときに実行が開始される演出である。つまり、復活演出は、成功演出と同じように、作動ラウンド遊技で長振分制御が行われて、特殊通過領域３６を遊技球が通過したことに応じて、大当り遊技の終了後に高確率状態が付与されることが特定可能な演出である。
【０１８６】
特に、成功演出の演出態様には、複数種類の演出態様があり、具体的には、青色の背景画像が表示される演出態様と、虹色の背景画像が表示される演出態様とがある。また、復活演出の演出態様にも、複数種類の演出態様があり、具体的には、青色の背景画像が表示される演出態様と、虹色の背景画像が表示される演出態様とがある。以下、青色の背景画像が表示される演出態様を単に青色の演出態様と示し、虹色の背景画像が表示される演出態様を単に虹色の演出態様と示す場合がある。
【０１８７】
本実施形態において、虹色の演出態様で成功演出及び復活演出が実行された場合には、設定されている現状の設定値が示唆される。本実施形態において、虹色の演出態様で成功演出及び復活演出が実行された場合には、設定されている現状の設定値が設定４以上であることが特定可能となり、設定されている現状の設定値が示唆される。つまり、虹色の演出態様で実行される成功演出及び復活演出は、設定された現状の設定値を示唆する示唆演出であるといえる。なお、本実施形態において、青色の演出態様である成功演出及び復活演出が実行された場合には、設定されている現状の設定値が示唆されない。また、本実施形態において、失敗演出の演出態様としては、青色の背景画像が表示される１種類の演出態様があるが、これに限らず、例えば、２種類以上の演出態様があってもよい。
【０１８８】
次に、演出表示装置２７における画像の表示態様について説明する。
図８（ａ）に示すように、演出表示装置２７の表示領域２７ｒにおいて、特別ゲームの実行が開始されると、確定停止表示されていた演出図柄が変動表示される。そして、図８（ｂ）に示すように、左列及び右列の演出図柄がリーチの図柄組み合わせとして一旦停止表示された後に、演出図柄が大当りの図柄組み合わせとして確定停止表示されることがある。
【０１８９】
図８（ｃ）に示すように、大当り抽選に当選した特別ゲームの実行が終了すると、大当り遊技が開始され、オープニング時間が経過した後に、ラウンド遊技が開始される。大当り遊技において、演出表示装置２７の表示領域２７ｒには、大入賞口３１への遊技球の入球を促すべく「右打ち」という右打ち画像が表示されている。
【０１９０】
また、低ベース状態において大当り抽選に当選した場合、作動ラウンド遊技としての２〜４回目のラウンド遊技が行われる前である１回目のラウンド遊技においては、成功演出及び失敗演出についての導入演出が実行されることがある。この導入演出は、大当りの種類に関係なく、同じ演出態様で実行される演出であり、導入演出の演出態様からは、成功演出及び失敗演出のうち何れが実行されるかが特定不能である。
【０１９１】
次に、図８（ｄ）に示すように、最初の作動ラウンド遊技としての２回目のラウンド遊技において、特殊通過領域３６を遊技球が通過したことを契機として、演出表示装置２７の表示領域２７ｒに「成功」という画像と、「Ｖ」という画像とが表示される成功演出が実行される場合がある。このように、成功演出が実行されることによって、特殊通過領域３６を遊技球が通過したことが特定可能となる。また、この場合、青色の演出態様で成功演出が実行されている。
【０１９２】
その一方で、図８（ｅ）に示すように、最初の作動ラウンド遊技としての２回目のラウンド遊技において、特殊通過領域３６を遊技球が通過していないことを契機として、演出表示装置２７の表示領域２７ｒに「失敗」という画像が表示される失敗演出が実行される場合がある。
【０１９３】
また、図８（ｆ）に示すように、作動ラウンド遊技において、失敗演出が実行された後であっても、特殊通過領域３６を遊技球が通過したことを契機として、演出表示装置２７の表示領域２７ｒに「復活」という画像と、「Ｖ」という画像とが表示される復活演出が実行される場合がある。このように、復活演出が実行されることによって、特殊通過領域３６を遊技球が通過したことが特定可能となる。また、この場合、青色の演出態様で復活演出が実行されている。
【０１９４】
また、図８（ｇ）に示すように、虹色の演出態様で成功演出が実行される場合がある。また、図８（ｈ）に示すように、虹色の演出態様で復活演出が実行される場合がある。このように、虹色の演出態様で成功演出及び復活演出が実行されることによって、設定されている現状の設定値が示唆されることとなる。
【０１９５】
次に、大当りの種類に対応して実行される特殊通過関連演出の種類について説明する。特に、低ベース状態において第１特別ゲームの大当り抽選に当選した場合について詳しく説明する。
【０１９６】
図９に示すように、各ラウンド遊技における特殊通過関連演出の種類が大当りの種類に対応するように制御される。ここでは、大入賞口３１に流下するように遊技球が発射されていることを前提として説明する。
【０１９７】
具体的には、図柄ＺＡに基づく大当り遊技において、２〜４回目のラウンド遊技で、大入賞口３１に入球した２球目以降の遊技球が特殊通過領域３６を通過する。そして、図柄ＺＡに基づく大当り遊技において、２回目のラウンド遊技で大入賞口３１に入球した２球目の遊技球が特殊通過領域３６を通過したときには、成功演出の実行が開始される。
【０１９８】
その一方で、図柄ＺＦに基づく大当り遊技において、２〜４回目のラウンド遊技で、大入賞口３１に入球した遊技球が特殊通過領域３６を通過しない。そして、図柄ＺＦに基づく大当り遊技において、２回目のラウンド遊技で大入賞口３１に入球した２球目までの遊技球が特殊通過領域３６を通過しなかったときには、失敗演出の実行が開始され、その後においても復活演出が実行されない。
【０１９９】
図柄ＺＢに基づく大当り遊技において、３回目のラウンド遊技で、大入賞口３１に入球した２球目以降の遊技球が特殊通過領域３６を通過する。そして、図柄ＺＢに基づく大当り遊技において、２回目のラウンド遊技で大入賞口３１に入球した２球目までの遊技球が特殊通過領域３６を通過しなかったときには、失敗演出の実行が開始される。また、図柄ＺＢに基づく大当り遊技において、３回目のラウンド遊技で大入賞口３１に入球した２球目の遊技球が特殊通過領域３６を通過したときには、失敗演出の実行が終了し、復活演出の実行が開始される。
【０２００】
図柄ＺＣに基づく大当り遊技において、３回目のラウンド遊技で、大入賞口３１に入球した５球目以降の遊技球が特殊通過領域３６を通過する。そして、図柄ＺＣに基づく大当り遊技において、２回目のラウンド遊技で大入賞口３１に入球した２球目までの遊技球が特殊通過領域３６を通過しなかったときには、失敗演出の実行が開始される。また、図柄ＺＣに基づく大当り遊技において、３回目のラウンド遊技で大入賞口３１に入球した５球目の遊技球が特殊通過領域３６を通過したときには、失敗演出の実行が終了し、復活演出の実行が開始される。
【０２０１】
図柄ＺＤに基づく大当り遊技において、４回目のラウンド遊技で、大入賞口３１に入球した２球目以降の遊技球が特殊通過領域３６を通過する。そして、図柄ＺＤに基づく大当り遊技において、２回目のラウンド遊技で大入賞口３１に入球した２球目までの遊技球が特殊通過領域３６を通過しなかったときには、失敗演出の実行が開始される。また、図柄ＺＤに基づく大当り遊技において、４回目のラウンド遊技で大入賞口３１に入球した２球目の遊技球が特殊通過領域３６を通過したときには、失敗演出の実行が終了し、復活演出の実行が開始される。
【０２０２】
図柄ＺＥに基づく大当り遊技において、４回目のラウンド遊技で、大入賞口３１に入球した５球目以降の遊技球が特殊通過領域３６を通過する。そして、図柄ＺＥに基づく大当り遊技において、２回目のラウンド遊技で大入賞口３１に入球した２球目までの遊技球が特殊通過領域３６を通過しなかったときには、失敗演出の実行が開始される。また、図柄ＺＥに基づく大当り遊技において、４回目のラウンド遊技で大入賞口３１に入球した５球目の遊技球が特殊通過領域３６を通過したときには、失敗演出の実行が終了し、復活演出の実行が開始される。
【０２０３】
なお、本実施形態において、大入賞口３１に流下するように遊技球が発射されていない場合などでは、特殊通過領域３６を遊技球が通過しないことが例外的にあり、この場合においては、成功演出や復活演出の実行が開始されない。
【０２０４】
ここで、大当り遊技中において実行される大当り遊技中計数処理について説明する。大当り遊技中計数処理は、副制御ＣＰＵ４１ａによって所定の周期で呼び出される処理である。
【０２０５】
副制御ＣＰＵ４１ａは、オープニングコマンドの入力を契機として、副制御ＲＡＭ４１ｃに割り当てられたラウンドカウンタと、特殊通過フラグとを初期化する。ラウンドカウンタは、１回の大当り遊技において制御されているラウンド遊技の回数を計数するためのカウンタである。特殊通過フラグは、１回の大当り遊技において特殊通過領域３６を遊技球が通過した否かを特定可能とするためのフラグである。これによって、副制御ＣＰＵ４１ａは、１回の大当り遊技において制御されるラウンド遊技のラウンド数の計数を開始するとともに、１回の大当り遊技において特殊通過領域３６を遊技球が通過した否かを特定可能である。
【０２０６】
副制御ＣＰＵ４１ａは、ラウンドコマンドの入力を契機として、ラウンドカウンタの値に「１」を加算するとともに、大入賞カウンタと、特殊通過カウンタと、通常通過カウンタとを初期化する。大入賞カウンタは、１回のラウンド遊技において大入賞口３１に入球した遊技球の数を計数するためのカウンタである。特殊通過カウンタは、１回のラウンド遊技において特殊通過領域３６を通過した遊技球の数を計数するためのカウンタである。通常通過カウンタは、１回のラウンド遊技において通常通過領域３７を通過した遊技球の数を計数するためのカウンタである。これによって、副制御ＣＰＵ４１ａは、１回の大当り遊技において制御されているラウンド遊技の回数を計数し、ラウンドカウンタに記憶されている値に基づいて、１回の大当り遊技において制御されているラウンド遊技の回数を特定可能である。また、副制御ＣＰＵ４１ａは、１回のラウンド遊技において大入賞口３１に入球した遊技球の入球数、特殊通過領域３６を通過した遊技球の通過数、及び、通常通過領域３７を通過した遊技球の通過数の計数を開始することとなる。
【０２０７】
副制御ＣＰＵ４１ａは、大入賞コマンドの入力を契機として、大入賞カウンタの値に「１」を加算する。これによって、副制御ＣＰＵ４１ａは、１回のラウンド遊技において大入賞口３１に入球した遊技球の数を計数し、大入賞カウンタに記憶されている値に基づいて、１回のラウンド遊技において大入賞口３１に入球した遊技球の数を特定可能である。
【０２０８】
副制御ＣＰＵ４１ａは、特殊通過コマンドの入力を契機として、１回の大当り遊技において特殊通過領域３６を遊技球が通過したことを示す情報を特殊通過フラグに記憶するとともに、特殊通過カウンタの値に「１」を加算する。これによって、副制御ＣＰＵ４１ａは、特殊通過フラグに記憶されている値に基づいて、１回の大当り遊技において特殊通過領域３６を遊技球が通過したことを特定可能である。また、副制御ＣＰＵ４１ａは、１回のラウンド遊技において特殊通過領域３６を通過した遊技球の数を計数し、特殊通過カウンタに記憶されている値に基づいて、１回のラウンド遊技において特殊通過領域３６を通過した遊技球の数を特定可能である。
【０２０９】
副制御ＣＰＵ４１ａは、通常通過コマンドの入力を契機として、通常通過カウンタの値に「１」を加算する。これによって、副制御ＣＰＵ４１ａは、１回のラウンド遊技において通常通過領域３７を通過した遊技球の数を計数し、通常通過カウンタに記憶されている値に基づいて、１回のラウンド遊技において通常通過領域３７を通過した遊技球の数を特定可能である。
【０２１０】
次に、特殊通過関連演出制御処理について説明する。特殊通過関連演出制御処理は、副制御ＣＰＵ４１ａによって所定の周期で呼び出される処理である。
図１０に示すように、副制御ＣＰＵ４１ａは、ラウンドカウンタの値に基づいて、２回目のラウンド遊技であるかを判定する（ステップＳ１１１）。２回目のラウンド遊技ではないと判定した場合、副制御ＣＰＵ４１ａは、ステップＳ１１２〜Ｓ１１６を実行することなく、ステップＳ１２１に移行する。
【０２１１】
２回目のラウンド遊技であると判定した場合、副制御ＣＰＵ４１ａは、大入賞カウンタの値に基づいて、１回のラウンド遊技において大入賞口３１への遊技球の入球数が「２」以上であるかを判定する（ステップＳ１１２）。１回のラウンド遊技において大入賞口３１への遊技球の入球数が「２」以上ではないと判定した場合、副制御ＣＰＵ４１ａは、ステップＳ１１３〜Ｓ１１６を実行することなく、ステップＳ１２１に移行する。
【０２１２】
１回のラウンド遊技において大入賞口３１への遊技球の入球数が「２」以上であると判定した場合、副制御ＣＰＵ４１ａは、特殊通過カウンタの値及び通常通過カウンタの値に基づいて、１回のラウンド遊技において特殊通過領域３６と通常通過領域３７とを通過した遊技球の合計通過数が「２」となったかを判定する（ステップＳ１１３）。１回のラウンド遊技において特殊通過領域３６と通常通過領域３７とを通過した遊技球の合計通過数が「２」となっていないと判定した場合、副制御ＣＰＵ４１ａは、ステップＳ１１４〜Ｓ１１６を実行することなく、ステップＳ１２１に移行する。
【０２１３】
１回のラウンド遊技において特殊通過領域３６と通常通過領域３７とを通過した遊技球の合計通過数が「２」となったと判定した場合、副制御ＣＰＵ４１ａは、特殊通過カウンタの値に基づいて、１回のラウンド遊技において特殊通過領域３６を通過した遊技球の通過数が「１」以上であるかを判定する（ステップＳ１１４）。
【０２１４】
１回のラウンド遊技において特殊通過領域３６を通過した遊技球の通過数が「１」以上であると判定した場合、副制御ＣＰＵ４１ａは、成功演出の実行を決定し（ステップＳ１１５）、成功演出の実行を特定可能な情報を副制御ＲＡＭ４１ｃに記憶し、ステップＳ１２１に移行する。これによって、２回目のラウンド遊技において、大入賞口３１に入球した２球目までの遊技球が特殊通過領域３６を通過したときに、成功演出の実行が決定されることとなる。
【０２１５】
１回のラウンド遊技において特殊通過領域３６を通過した遊技球の通過数が「１」以上ではないと判定した場合、副制御ＣＰＵ４１ａは、失敗演出の実行を決定し（ステップＳ１１６）、失敗演出の実行を特定可能な情報を副制御ＲＡＭ４１ｃに記憶し、ステップＳ１２１に移行する。これによって、２回目のラウンド遊技において、大入賞口３１に入球した２球目までの遊技球が特殊通過領域３６を通過しなかったときに、失敗演出の実行が決定されることとなる。
【０２１６】
なお、本実施形態において、副制御ＣＰＵ４１ａは、２回目のラウンド遊技において、大入賞口３１に２球の遊技球が入球せずに、ラウンド終了コマンドを入力したときには、失敗演出の実行を特定可能な情報を副制御ＲＡＭ４１ｃに記憶し、ステップＳ１２１に移行する。これによって、２回目のラウンド遊技において、大入賞口３１に２球の遊技球が入球せずに、２回目のラウンド遊技が終了したときには、３回目のラウンド遊技から、失敗演出の実行が決定されることとなる。
【０２１７】
次に、副制御ＣＰＵ４１ａは、ラウンドカウンタの値に基づいて、３、４回目のラウンド遊技であるかを判定する（ステップＳ１２１）。３、４回目のラウンド遊技ではないと判定した場合、副制御ＣＰＵ４１ａは、ステップＳ１２２〜Ｓ１２６を実行することなく、ステップＳ１３１に移行する。
【０２１８】
３、４回目のラウンド遊技であると判定した場合、副制御ＣＰＵ４１ａは、失敗演出が実行されているかを判定する（ステップＳ１２２）。この処理において、副制御ＣＰＵ４１ａは、失敗演出の実行を特定可能な情報が副制御ＲＡＭ４１ｃに記憶されている場合、失敗演出が実行されていると判定する。失敗演出が実行されていないと判定した場合、副制御ＣＰＵ４１ａは、ステップＳ１２３〜Ｓ１２６を実行することなく、ステップＳ１３１に移行する。
【０２１９】
失敗演出が実行されていると判定した場合、副制御ＣＰＵ４１ａは、大入賞カウンタの値に基づいて、１回のラウンド遊技において大入賞口３１への遊技球の入球数が規定数以上であるかを判定する（ステップＳ１２３）。本実施形態において、規定数としては、作動ラウンド遊技において特別入賞センサＳＥ３で検知された遊技球の入球数について、長振分制御の開始条件が成立するとき入球数である。このため、規定数としては、大当りＺＣ，ＺＥに基づく大当り遊技では「５」となり、それ以外の大当りＺＡ，ＺＢ，ＺＤ，ＺＦ，Ｚａ，Ｚｂに基づく大当り遊技では「２」となる。１回のラウンド遊技において大入賞口３１への遊技球の入球数が規定数以上ではないと判定した場合、副制御ＣＰＵ４１ａは、ステップＳ１２４〜Ｓ１２６を実行することなく、ステップＳ１３１に移行する。
【０２２０】
１回のラウンド遊技において大入賞口３１への遊技球の入球数が規定数以上であると判定した場合、副制御ＣＰＵ４１ａは、特殊通過カウンタの値及び通常通過カウンタの値に基づいて、１回のラウンド遊技において特殊通過領域３６と通常通過領域３７とを通過した遊技球の合計通過数が規定数となったかを判定する（ステップＳ１２４）。１回のラウンド遊技において特殊通過領域３６と通常通過領域３７とを通過した遊技球の合計通過数が規定数となっていないと判定した場合、副制御ＣＰＵ４１ａは、ステップＳ１２５，Ｓ１２６を実行することなく、ステップＳ１３１に移行する。
【０２２１】
１回のラウンド遊技において特殊通過領域３６と通常通過領域３７とを通過した遊技球の合計通過数が規定数となったと判定した場合、副制御ＣＰＵ４１ａは、特殊通過カウンタの値に基づいて、１回のラウンド遊技において特殊通過領域３６を通過した遊技球の通過数が「１」以上であるかを判定する（ステップＳ１２５）。１回のラウンド遊技において特殊通過領域３６を通過した遊技球の通過数が「１」以上はないと判定した場合、副制御ＣＰＵ４１ａは、ステップＳ１２６を実行せずに、ステップＳ１３１に移行する。
【０２２２】
１回のラウンド遊技において特殊通過領域３６を通過した遊技球の通過数が「１」以上であると判定した場合、副制御ＣＰＵ４１ａは、復活演出の実行を決定し（ステップＳ１２６）、復活演出の実行を特定可能な情報を副制御ＲＡＭ４１ｃに記憶し、ステップＳ１３１に移行する。これによって、３、４回目のラウンド遊技において、失敗演出が実行されている場合において、大入賞口３１に入球した規定数目以降の遊技球が特殊通過領域３６を通過したときに、復活演出の実行が決定されることとなる。
【０２２３】
次に、副制御ＣＰＵ４１ａは、成功演出、復活演出の実行が決定されたかを判定する（ステップＳ１３１）。この処理において、副制御ＣＰＵ４１ａは、成功演出、復活演出の実行を特定可能な情報が副制御ＲＡＭ４１ｃに記憶された場合、成功演出、復活演出の実行が決定されたと判定する。成功演出、復活演出の実行が決定されていないと判定した場合、副制御ＣＰＵ４１ａは、ステップＳ１３２，Ｓ１３３を実行することなく、特殊通過関連演出制御処理を終了する。
【０２２４】
成功演出、復活演出の実行が決定されたと判定した場合、副制御ＣＰＵ４１ａは、設定示唆演出抽選を行う設定示唆演出抽選処理を実行する（ステップＳ１３２）。この設定示唆演出抽選は、成功演出、復活演出の演出態様を決定するための抽選であり、虹色の演出態様で成功演出、復活演出を実行させることにより、示唆演出を実行させるかを決定するための抽選でもある。そして、副制御ＣＰＵ４１ａは、演出態様決定処理を実行し（ステップＳ１３３）、特殊通過関連演出制御処理を終了する。
【０２２５】
この処理において、副制御ＣＰＵ４１ａは、副制御ＲＡＭ４１ｃに割り当てられた副設定値フラグから値を読み出し、設定されている設定値を特定する。そして、副制御ＣＰＵ４１ａは、設定されている設定値に対応する抽選テーブルを参照し、設定示唆演出抽選を実行する。本実施形態において、設定示唆演出抽選では、設定３以下であるときには、虹色の演出態様が決定されず、青色の演出態様が決定される。その一方で、設定４以上であるときには、青色の演出態様及び虹色の演出態様の何れかが決定される。特に、設定されている現在の設定値が設定６であるときには、設定５であるときよりも高い確率で、虹色の演出態様が決定され、設定５であるときには、設定４であるときよりも高い確率で、虹色の演出態様が決定される。そして、副制御ＣＰＵ４１ａは、設定示唆演出抽選の抽選結果に基づいて決定された演出態様を特定可能な情報を副制御ＲＡＭ４１ｃに記憶する。なお、本実施形態において、失敗演出の演出態様としては、青色の背景画像が表示される演出態様が１種類あり、失敗演出の実行が決定されたときには、その演出態様が決定されるが、これに限らず、例えば、２種類以上の演出態様があってもよい。
【０２２６】
特殊通過関連演出制御処理とは別の処理において、成功演出、失敗演出、復活演出の実行を特定可能な情報が副制御ＲＡＭ４１ｃに記憶された場合、副制御ＣＰＵ４１ａは、決定した演出態様を特定可能な情報を副制御ＲＡＭ４１ｃから読み出し、その演出態様で成功演出、失敗演出、復活演出を実行させる制御を行う。特に、成功演出、復活演出の実行を特定可能な情報が副制御ＲＡＭ４１ｃに記憶された場合において、虹色の演出態様を特定可能な情報が記憶されているときに、副制御ＣＰＵ４１ａは、虹色の演出態様で成功演出、復活演出を実行させることによって、設定されている設定値を示唆する示唆演出を実行させることとなる。
【０２２７】
このように、虹色の演出態様で成功演出、復活演出は、設定されている設定値を示唆する演出であるといえ、その実行条件としては、作動ラウンド遊技において、特殊通過領域３６を遊技球が通過したと検知されたことに応じて成立可能である。また、言い換えると虹色の演出態様で成功演出、復活演出の実行条件は、大入賞口３１に入球したと検知された遊技球の数が２以上又は５以上となったときに成立可能な条件である。
【０２２８】
本実施形態において、このような処理を実行する副制御ＣＰＵ４１ａが演出制御手段に相当する。また、本実施形態において、虹色の演出態様で実行される成功演出及び復活演出が特別演出に相当し、虹色の演出態様で実行される成功演出及び復活演出が実行される実行条件が特別条件に相当する。本実施形態において、２回目のラウンド遊技では「２」が、３、４回目のラウンド遊技では「２」又は「５」が特定数に相当する。つまり、特定数には、長振分制御の開始条件が成立する規定数と同じ数があり、大入賞口３１へ入球する遊技球の上限数よりも小さい数である。
【０２２９】
以上詳述したように、本実施形態は、以下の効果を有する。
（１）大当り確率を定めた複数の設定値のうち何れかの設定値が設定される。このため、設定値に応じて、大当り確率が変化することから、遊技に変化を与えることができ、遊技に対する興趣の向上を図ることができる。
【０２３０】
（２）虹色の演出態様で実行される成功演出及び復活演出は、大当り確率の有利度合いを定めた設定値を示唆する示唆演出である。示唆演出の実行条件は、作動ラウンド遊技において、大入賞口３１に入球したと検知された遊技球の数が２以上又は５以上（特定数）となったときに成立可能な条件である。このため、作動ラウンド遊技において大入賞口３１に入球した遊技球の数について注意させることができるとともに、作動ラウンド遊技において大入賞口３１に入球した遊技球の数が２以上又は５以上となったときに、設定された設定値を推測する機会を提供することができ、遊技に対する興趣の向上を図ることができる。
【０２３１】
（３）大入賞口３１に入球した遊技球が通過可能な特殊通過領域３６への遊技球の通過に応じて、高確率状態に制御される。作動ラウンド遊技は、大入賞口３１に入球した遊技球が特殊通過領域３６を通過可能なラウンド遊技である。このため、作動ラウンド遊技であるかについても注意させることができ、遊技に対する興趣の向上を図ることができる。
【０２３２】
（４）作動ラウンド遊技において、大入賞口３１に入球したと検知された遊技球の数が規定数となったことを契機として、振分部材３８を動作させることができ、大入賞口３１に入球したと検知された遊技球の数について示唆演出の実行条件が成立可能な数には、規定数と同じ数として「２」又は「５」がある。このため、大入賞口３１に入球した遊技球の数が、振分部材３８を動作させることができる規定数となったかについて注意させることができるとともに、振分部材３８が動作することに対する期待感を高揚させることができ、遊技に対する興趣の向上を図ることができる。
【０２３３】
（５）長振分制御に基づく振分態様は、短振分制御に基づく振分態様よりも、大入賞口３１に入球した遊技球が特殊通過領域３６を通過し易い振分態様である。作動ラウンド遊技において、大入賞口３１に入球したと検知された遊技球の数が規定数となったことを契機として、長振分制御に基づく振分態様で振分部材３８を動作させることができる。このため、大入賞口３１に入球した遊技球の数が、長振分制御に基づく振分態様で振分部材３８を動作させることができる規定数となったかについて注意させることができるとともに、長振分制御に基づく振分態様で振分部材３８が動作することに対する期待感を高揚させることができ、遊技に対する興趣の向上を図ることができる。
【０２３４】
（６）示唆演出の実行条件は、特殊通過領域３６を通過したと検知されたことに応じて成立可能な条件である。このため、特殊通過領域３６を通過したことについて注意させることができるとともに、特殊通過領域３６を通過したときに、設定された設定値を推測する機会を提供することができ、遊技に対する興趣の向上を図ることができる。
【０２３５】
（７）示唆演出の実行条件は、作動ラウンド遊技において、特殊通過領域３６を遊技球が通過したと検知されたことに応じて成立可能な条件である。作動ラウンド遊技は、大入賞口３１に入球した遊技球が特殊通過領域３６を通過可能なラウンド遊技である。このため、作動ラウンド遊技であるかについても注意させることができ、遊技に対する興趣の向上を図ることができる。
【０２３６】
尚、上記実施形態は、次のような別の実施形態（別例）にて具体化できる。
・上記実施形態において、例えば、「アタッカーへの入賞で設定値がわかるかも」、「Ｖ通過で設定値がわかるかも」など、示唆演出の実行条件について報知してもよい。このように、現状の設定値を示唆することを特定可能な示唆演出が実行される演出表示装置２７が、示唆演出の実行条件について報知する報知手段に相当する。
【０２３７】
・上記実施形態において、例えば、操作ボタン１９の操作に応じて示唆演出の実行条件が成立可能であってもよい。具体的な一例をあげると、上記実施形態における成功演出、失敗演出、復活演出の実行が開始されるタイミングで、操作有効期間となり、操作有効期間内に操作ボタン１９が所定の操作態様で操作された場合、又は、操作有効期間が終了した場合に、成功演出、失敗演出、復活演出の実行が開始されてもよい。また、例えば、青色の演出態様で成功演出、復活演出が実行されている場合に、操作有効期間内に操作ボタン１９が所定の操作態様で操作されると、演出態様が青色の演出態様から虹色の演出態様に変化してもよい。つまり、示唆演出の実行条件は、操作ボタン１９の操作に応じて成立可能な条件であってもよい。これにより、実行条件を成立させて示唆演出を実行させるべく、遊技者に操作を行わせる機会を提供することができ、遊技に積極的に参加させる遊技性を提供することができ、遊技に対する興趣の向上を図ることができる。また、例えば、操作有効期間となっているときに、操作ボタン１９の操作を促す画像が表示されてもよく、操作有効期間となっているときに、操作ボタン１９の操作を促す画像が表示されなくてもよい（所謂、「隠しタッチ」）。
【０２３８】
・上記実施形態において、例えば、青色の演出態様と虹色の演出態様とで失敗演出が実行可能であり、虹色の演出態様で失敗演出が実行されることにより、設定されている設定値が示唆されてもよい。この場合、青色の演出態様で失敗演出が実行されることにより、設定されている設定値が示唆されなくてもよい。
【０２３９】
・上記実施形態において、例えば、通常通過領域３７への遊技球の通過に応じて示唆演出の実行条件が成立してもよい。具体的に、図１０のステップＳ１１４において、副制御ＣＰＵ４１ａは、通常通過カウンタに基づいて、１回のラウンド遊技において通常通過領域３７を通過した遊技球の通過数が２であるかを判定する。そして、副制御ＣＰＵ４１ａは、通常通過領域３７を通過した遊技球の通過数が２であると判定した場合に失敗演出の実行を決定し、通常通過領域３７を通過した遊技球の通過数が２ではないと判定した場合に成功演出の実行を決定する。このように、示唆演出の実行条件は、通常通過領域３７を遊技球が通過したと検知されたことに応じて成立可能な条件である。このため、特殊通過領域３６よりも不利な通常通過領域３７を通過したことについて注意させることができるとともに、通常通過領域３７を通過したときに、設定された設定値を推測する機会を提供することができ、遊技に対する興趣の向上を図ることができる。
【０２４０】
・上記実施形態において、例えば、成功演出、復活演出などの演出の種類により、示唆演出が実行される確率が異なっていても同じであってもよい。言い換えると、設定されている設定値を示唆する示唆演出として第１演出と第２演出とがあり、第１演出と第２演出とで、示唆される示唆内容が異なってもよい。具体的には、第１演出では、設定４以上を特定可能であり、第２演出では、設定２以上を特定可能であってもよい。
【０２４１】
・上記実施形態において、例えば、成功演出、復活演出について、複数種類の演出態様で示唆演出が実行されてもよい。具体的には、成功演出の演出態様には、赤色の演出態様があり、赤色の演出態様では、設定２以上を特定可能であり、虹色の演出態様とは異なる示唆内容となってもよい。また、例えば、青色の演出態様のように、設定されている設定値が示唆されない演出態様がなくても問題ない。
【０２４２】
・上記実施形態において、低ベース状態において特別ゲームの大当り抽選に当選した場合に、成功演出、失敗演出及び復活演出が実行されたが、これに限らない。例えば、高ベース状態において特別ゲームの大当り抽選に当選した場合に、成功演出、失敗演出及び復活演出が実行されてもよく、ベース状態が何れであっても、成功演出、失敗演出及び復活演出が実行されてもよい。
【０２４３】
・上記実施形態において、３、４回目のラウンド遊技で復活演出が実行されたが、これに限らず、例えば、５回目以降のラウンド遊技の終了後のラウンド遊技やラウンド間インターバル時間、エンディング時間で復活演出が実行されてもよい。
【０２４４】
・上記実施形態において、例えば、成功演出、失敗演出、復活演出のうち何れかが実行されなくてもよく、少なくとも成功演出が実行されることが好ましい。また、例えば、成功演出、失敗演出、復活演出とは異なり、設定されている設定値を示唆する所定演出（示唆演出）が実行されてもよい。
【０２４５】
・上記実施形態において、例えば、特定数として、１回のラウンド遊技の終了条件としての大入賞口３１に入球する上限数と同じ又は大きい数があってもよい。具体的に、大入賞口３１に入球する上限数が「９」である場合、１回のラウンド遊技において、大入賞口３１に入球した遊技球の入球数が「９」であるときに、示唆演出の実行条件が成立可能であってもよく、「１０」以上であるときに、示唆演出の実行条件が成立可能であってもよい。また、例えば、特定数としては、「２」である場合、「５」である場合、「２」又は「５」である場合、「２」以上である場合など、一か複数かを問わず、規定数ではない数が含まれていてもよく、規定数が含まれていなくてもよい。
【０２４６】
・上記実施形態において、例えば、示唆演出の実行条件は、特殊通過領域３６を通過したと検知された遊技球の数が所定数となったときに成立可能な条件であってもよい。具体的に、大当りＺＢに基づく大当り遊技において、３回目のラウンド遊技で、大入賞口３１に入球した２球目の遊技球が特殊通過領域３６を通過した場合には、復活演出が実行されず、大入賞口３１に入球した５球目の遊技球が特殊通過領域３６を通過した場合には、復活演出が実行されてもよい。この場合、３回目のラウンド遊技において、特殊通過領域３６を通過した遊技球の数が「４」となったときに、復活演出の演出態様により示唆演出が実行可能となる。このように、示唆演出の実行条件は、特殊通過領域３６を通過したと検知された遊技球の数が所定数となったときに成立可能な条件である。このため、特殊通過領域３６を通過した遊技球の数について注意させることができるとともに、特殊通過領域３６を通過した遊技球の数が所定数となったときに、設定された設定値を推測する機会を提供することができ、遊技に対する興趣の向上を図ることができる。また、例えば、所定数としては、１回のラウンド遊技の終了条件としての大入賞口３１に入球する上限数よりも小さい数であってもよく、上限数と同じ数であってもよく、上限数よりも大きい数があってもよい。
【０２４７】
・上記実施形態において、例えば、大入賞口３１に入球した遊技球が特殊通過領域３６を通過したか通常通過領域３７を通過したかも遊技者により視認可能に構成されてもよい。特に、大入賞口３１に入球した遊技球の入球数が「２」又は「５」となったときに、長振分制御の開始条件が成立するため、大入賞口３１に入球した遊技球を視認すべく、大入賞口３１に入球した遊技球が特殊通過領域３６を通過したか否かに注目させることができる。
【０２４８】
・上記実施形態において、作動ラウンド遊技において、短振分制御の開始条件としては、例えば、大入賞口３１に入球した遊技球の入球数が「１」となったときではなく、「２」〜「９」の何れかとなったときであってもよい。つまり、大入賞口３１に入球した遊技球の入球数が任意の数となったときに、短振分制御の開始条件が成立してもよい。また、例えば、大入賞口３１に入球した遊技球の入球数に関係なく、短振分制御の開始条件が作動ラウンド遊技の開始で成立してもよい。
【０２４９】
・上記実施形態において、第２作動ラウンド遊技において、長振分制御の開始条件としては、例えば、大入賞口３１に入球した遊技球の入球数が「２」や「５」となったときではなく、「３」、「４」、「６」〜「９」の何れかとなったときであってもよい。つまり、大入賞口３１に入球した遊技球の入球数が任意の数となったときに、長振分制御の開始条件が成立してもよい。また、例えば、大入賞口３１に入球した遊技球の入球数に関係なく、長振分制御の開始条件が作動ラウンド遊技の開始で成立してもよい。
【０２５０】
・上記実施形態において、短振分制御と長振分制御との２種類があったが、これに限らず、３種類以上あってもよく１種類であっても問題ない。
・上記実施形態において、連続する複数回のラウンド遊技が作動ラウンド遊技として採用されたが、これに限らず、例えば、２〜４、７回目など、連続しないラウンド遊技が作動ラウンド遊技として採用されてもよく、２、４、７回目など、連続するラウンド遊技が作動ラウンド遊技として採用されなくてもよい。
【０２５１】
・上記実施形態において、３回のラウンド遊技が作動ラウンド遊技として採用されたが、これに限らず、例えば、２回、４回以上のラウンド遊技が作動ラウンド遊技として採用されてもよい。つまり、複数回のラウンド遊技が作動ラウンド遊技として採用されてもよく、１回のラウンド遊技が作動ラウンド遊技として採用されてもよい。
【０２５２】
・上記実施形態において、短振分制御及び長振分制御のうち少なくとも何れかが行われる作動ラウンド遊技を所定ラウンド遊技として採用したが、これに限らない。例えば、短振分制御が行われるが長振分制御が行われない作動ラウンド遊技を所定ラウンド遊技として採用せずに、少なくとも長振分制御が行われる作動ラウンド遊技を所定ラウンド遊技として採用してもよい。もちろん、例えば、少なくとも短振分制御が行われる作動ラウンド遊技を所定ラウンド遊技として採用してもよい。
【０２５３】
・上記実施形態において、例えば、大入賞口３１への遊技球の入球に関係なく、特殊通過領域３６を通過した遊技球の通過数が特定数となったことに応じて、示唆演出の実行条件が成立可能となってもよい。具体的に、図１０のステップＳ１１２，Ｓ１２３などの判定が行われなくてもよい。
【０２５４】
・上記実施形態において、例えば、特殊通過領域３６への遊技球の通過に関係なく、大入賞口３１に入球した遊技球の入球数が特定数となったことに応じて、示唆演出の実行条件が成立可能となってもよい。具体的には、大当りＺＢ，ＺＣに基づく大当り遊技において、３回目のラウンド遊技では、大入賞口３１に２球目の遊技球が入球すると、「Ｖ入賞するか」というような演出が実行され、その演出の演出態様により、設定されている設定値が示唆されてもよい。また、例えば、大当りＺＢ，ＺＣに基づく大当り遊技において、３回目のラウンド遊技では、大入賞口３１に１球目の遊技球が入球すると、「Ｖ入賞させろ」というような演出が実行され、その演出の演出態様により、設定されている設定値が示唆されてもよい。また、例えば、作動ラウンド遊技であるか否かに関係ない所定ラウンド遊技では、大入賞口３１に１０球目の遊技球が入球すると、「オーバー入賞成功」というような演出が実行され、その演出の演出態様により、設定されている設定値が示唆されてもよい。つまり、特殊通過領域３６を遊技球が通過するか否かに関係なく、大入賞口３１に入球した遊技球の入球数が特定数となったことに応じて所定演出が実行される場合に、その所定演出として示唆演出が少なくとも含まれていてもよい。
【０２５５】
・上記実施形態において、特殊通過領域３６を遊技球が通過したときに、特典として高確率状態に制御されたが、これに限らず、例えば、特殊通過領域３６を遊技球が通過したときに、特典として大当り遊技が付与されてもよい。言い換えると、大入賞口３１に遊技球が入球可能な第１大当り遊技（小当り遊技）があり、第１大当り遊技の終了後に、大入賞口３１に遊技球が入球可能な第２大当り遊技（大当り遊技）が付与されてもよい。この場合、大当りの種類に基づいて、振分部材３８の振分制御が行われたが、これに限らず、例えば、大当りの種類に基づいて、高確率状態が付与されるか否かが直接的に決定されてもよい。また、例えば、振分部材３８の振分制御が行われなくてもよい。また、例えば、複数回のラウンド遊技が行われる大当り遊技ではなく、大入賞口３１が開状態となれば、ラウンド遊技という単位で制御されなくてもよい。
【０２５６】
・上記実施形態において、高確率状態から低確率状態に制御されるか否かの転落抽選が行われもよい。
・上記実施形態において、例えば、大当り抽選とは別で小当り抽選が行われてもよい。
【０２５７】
・上記実施形態において、例えば、大当り遊技の終了後、低ベース状態となる大当りの種類があってもよい。
・上記実施形態において、ラウンド遊技の終了条件としては、予め定めた上限数の遊技球が大入賞口３１に入球する第１終了条件、又は予め定めた上限時間が経過する第２終了条件があったが、これに限らず、例えば、第１終了条件があれば、第２終了条件がなくてもよく、第１終了条件及び第２終了条件とは異なる第３終了条件があってもよい。つまり、ラウンド遊技は、少なくとも、予め定めた上限時間が経過する前に、ラウンド遊技において大入賞口３１に入球したと検知された遊技球の数が予め定めた上限数となったときに終了する遊技であるといえる。
【０２５８】
・上記実施形態において、第１特別ゲームよりも第２特別ゲームを優先的に実行したが、これに限らず、例えば、第２特別ゲームよりも第１特別ゲームを優先的に実行してもよい。また、例えば、第１始動口２８及び第２始動口２９に遊技球が入球した順序で実行されてもよく、例えば、第１特別ゲームと第２特別ゲームとが同時に実行可能であってもよい。
【０２５９】
・上記実施形態において、示唆演出が実行されることによって、現状の設定値が示唆されたが、これに限らず、例えば、現状の設定値が確定的に報知されてもよく、これらの組み合わせであってもよい。つまり、現状の設定値を示唆する示唆演出、及び、現状の設定値を報知する報知演出のうち少なくとも一方が実行可能であればよい。
【０２６０】
・上記実施形態において、主制御基板４０と副制御基板４１とが配設され、各種機能が搭載されたが、これに限らず、例えば、一方の基板における機能が他方の基板における機能として搭載されてもよい。また、演出表示装置２７の制御を行う手段が別々に備えられてもよい。また、このような２種類の基板に限らず、例えば、一体的な基板として構成されてもよく、３種類以上の基板として構成されてもよい。具体的な一例としては、副制御基板４１の機能を、演出に関する制御を統括的に行う統括制御基板と、画像の表示に関する制御を行う表示制御基板とに分けてもよい。
【０２６１】
・上記実施形態において、図柄コマンドにより、大当り（大当り遊技）の種類を指定していたが、ゲーム開始コマンドや、その他専用の制御コマンドにより、大当りの種類を指定するようにしてもよい。
【０２６２】
・上記実施形態において、特別ゲームに係わる各種の乱数情報は、特別保留数に応じて設けられた記憶領域に記憶するようにしてもよい。この場合、特別ゲームが実行される毎に、乱数情報がシフト処理され、特別保留数が「１」減算された記憶領域に記憶してもよい。
【０２６３】
・上記実施形態において、例えば、所定の抽選により特別可変部材３２が開状態に動作し、大入賞口３１に入球した遊技球が特定通過領域を通過したことにより大当り遊技が付与される遊技機（所謂、「２種の遊技機」）であってもよい。また、例えば、特別ゲームにおける大当り抽選に当選することにより特別可変部材３２が開状態に動作する遊技機（所謂、「１種２種混合の遊技機」）であってもよい。また、所定の入球口への遊技球の入球を契機として大当り遊技が開始される遊技機（所謂、３種の遊技機）であってもよい。また、例えば、高確率状態が付与されなくてもよい。
【０２６４】
次に、上記実施形態及び別例から把握できる技術的思想を以下に追記する。
（イ）遊技状態を制御する遊技状態制御手段を備え、前記遊技状態には、低確率状態と、前記低確率状態よりも前記大当り抽選の当選確率が高い高確率状態とがあり、前記特典は、前記大当り遊技の終了後における前記高確率状態への制御であることを特徴とする。
【０２６５】
（ロ）前記大入賞口に入球した遊技球が通過可能な通常通過領域と、前記大入賞口に入球した遊技球を前記特殊通過領域に振り分ける第１振分状態及び前記大入賞口に入球した遊技球を前記通常通過領域に振り分ける第２振分状態を取り得るように動作する振分手段と、前記振分手段の動作を制御する振分制御手段と、を備え、前記振分手段を動作させる振分態様には、第１振分態様と、第２振分態様とがあり、前記第２振分態様は、前記第１振分態様よりも、前記大入賞口に入球した遊技球が前記特殊通過領域を通過し易い振分態様であり、前記振分制御手段は、前記所定ラウンド遊技において、前記特別検知手段によって前記大入賞口に入球したと検知された遊技球の数が規定数となったことを契機として、前記第１振分態様で前記第１振分状態を取るように前記振分手段を動作させることができ、前記特定数には、前記規定数と同じ数があることを特徴とする。
【０２６６】
（ハ）前記規定数には、第１規定数と、第２規定数とがあり、前記所定ラウンド遊技には、第１所定ラウンド遊技と、第２所定ラウンド遊技とがあり、前記第１所定ラウンド遊技は、前記特別検知手段によって前記大入賞口に入球したと検知された遊技球の数が前記第１規定数となったことを契機として、前記第２振分態様で前記第１振分状態を取るように前記振分手段を動作させるラウンド遊技であり、前記第２所定ラウンド遊技は、前記特別検知手段によって前記大入賞口に入球したと検知された遊技球の数が前記第２規定数となったことを契機として、前記第２振分態様で前記第１振分状態を取るように前記振分手段を動作させるラウンド遊技であることを特徴とする。
【０２６７】
（ニ）前記ラウンド遊技は、少なくとも、予め定めた上限時間が経過する前に、前記ラウンド遊技において前記大入賞口に入球したと検知された遊技球の数が予め定めた上限数となったときに終了する遊技であり、前記特定数には、前記上限数より小さい数があることを特徴とする。
【０２６８】
（ホ）前記ラウンド遊技は、少なくとも、予め定めた上限時間が経過する前に、前記ラウンド遊技において前記大入賞口に入球したと検知された遊技球の数が予め定めた上限数となったときに終了する遊技であり、前記所定数には、前記上限数より小さい数があることを特徴とする。
【符号の説明】
【０２６９】
Ａ１…普通アクチュエータ、Ａ２…特別アクチュエータ、Ａ３…振分アクチュエータ、ＳＥ１…第１始動センサ、ＳＥ２…第２始動センサ、ＳＥ３…特別入賞センサ（特別検知手段）、ＳＥ４…ゲートセンサ、ＳＥ５…一般入賞センサ、ＳＥ６…特殊通過センサ（特殊検知手段）、ＳＥ７…通常通過センサ（通常検知手段）、１０…パチンコ遊技機、１８…スピーカ、１９…操作ボタン（操作手段）、２０…遊技盤、２１…遊技領域、２２ａ…第１特別図柄表示部、２２ｂ…第２特別図柄表示部、２７…演出表示装置、２８…第１始動口、２９…第２始動口、３０…普通可変部材、３１…大入賞口、３２…特別可変部材（特別開閉手段）、３３…ゲート、３６…特殊通過領域、３７…通常通過領域、３８…振分部材（振分手段）、４０…主制御基板、４０ａ…主制御ＣＰＵ（設定制御手段、遊技状態制御手段、特典付与制御手段、振分制御手段）、４０ｂ…主制御ＲＯＭ、４０ｃ…主制御ＲＡＭ、４１…副制御基板、４１ａ…副制御ＣＰＵ（演出制御手段）、４１ｂ…副制御ＲＯＭ、４１ｃ…副制御ＲＡＭ。
【図１】
2020028486.tif 000003
【図２】
2020028486.tif 000004
【図３】
2020028486.tif 000005
【図４】
2020028486.tif 000006
【図５】
2020028486.tif 000007
【図６】
2020028486.tif 000008
【図７】
2020028486.tif 000009
【図８】
2020028486.tif 000010
【図９】
2020028486.tif 000011
【図１０】
2020028486.tif 000012